(57)【要約】  ワイヤレス通信のための方法、装置、およびコンピュータプログラム製品が提供される。一構成では、装置はターゲットUEである。ターゲットUEは、ターゲットUEの表現をサービングエンティティに伝達し、イニシエータUEと通信するためにサービングエンティティから開始されるページを受信し、少なくともページに基づいてイニシエータUEと安全に通信する。一構成では、装置はサービングエンティティである。サービングエンティティは、ターゲットUEから第1の表現を受信し、イニシエータUEから第2の表現を受信し、第2の表現が第1の表現に適合すると判断すると、ターゲットUEにページを送信する。
2015510341.tif 000002
【特許請求の範囲】
【請求項１】
ターゲットユーザ機器(UE)のワイヤレス通信の方法であって、
前記ターゲットUEの表現をサービングエンティティに伝達するステップと、
イニシエータUEと通信するために前記サービングエンティティから開始されたページを受信するステップと、
前記ページに基づいて前記イニシエータUEと通信するステップとを含む、方法。
【請求項２】
前記サービングエンティティが、ネットワークエンティティ、発展型ノードB(eNB)、またはモビリティ管理エンティティ(MME)のうちの1つを備える、請求項1に記載の方法。
【請求項３】
タイムフレームを伝達するステップをさらに含み、前記タイムフレームの間に前記ターゲットUEが通信のためにページングされ得る、請求項1に記載の方法。
【請求項４】
前記受信されたページが、前記表現から導出されたページング識別子(PGID)、Globally Unique Temporary Identifier(GUTI)、または前記GUTIのサブセットのうちの少なくとも1つを含み、直接ページング無線ネットワーク一時的識別子(DP-RNTI)を用いてスクランブルされる、請求項1に記載の方法。
【請求項５】
前記受信されたページが、前記イニシエータUEに関連付けられた識別子を含む、請求項1に記載の方法。
【請求項６】
前記イニシエータUEと安全に通信するためのキーを前記サービングエンティティから受信するステップをさらに含む、請求項1に記載の方法。
【請求項７】
サービングエンティティの通信の方法であって、
ターゲットユーザ機器(UE)から第1の表現を受信するステップと、
イニシエータUEから第2の表現を受信するステップと、
前記第2の表現が前記第1の表現に適合すると判断すると、前記ターゲットUEにページを送信するステップとを含む、方法。
【請求項８】
前記サービングエンティティが、発展型ノードB(eNB)、またはモビリティ管理エンティティ(MME)のうちの1つを備える、請求項7に記載の方法。
【請求項９】
タイムフレームを受信するステップをさらに含み、前記タイムフレームの間に前記ターゲットUEが通信のためにページングされ得る、請求項7に記載の方法。
【請求項１０】
現在時刻が前記受信されたタイムフレーム内にあると判断するときだけ、前記ページが送信される、請求項9に記載の方法。
【請求項１１】
前記第1の表現から導出されたページング識別子(PGID)、Globally Unique Temporary Identifier(GUTI)、または前記GUTIのサブセットのうちの少なくとも1つを含むアイデンティティ/識別子を決定するステップをさらに含み、前記ページが、前記決定されたアイデンティティ/識別子を含み、直接ページング無線ネットワーク一時的識別子(DP-RNTI)を用いてスクランブルされる、請求項7に記載の方法。
【請求項１２】
前記ページが、前記イニシエータUEに関連付けられた識別子を含む、請求項7に記載の方法。
【請求項１３】
前記ターゲットUEおよび前記イニシエータUEが一緒に安全に通信することを可能にするためのキーを前記ターゲットUEおよび前記イニシエータUEに送信するステップをさらに含む、請求項7に記載の方法。
【請求項１４】
ワイヤレス通信のためのターゲットユーザ機器(UE)であって、
前記ターゲットUEの表現をサービングエンティティに伝達するための手段と、
イニシエータUEと通信するために前記サービングエンティティから開始されたページを受信するための手段とを含み、
通信するための前記手段が、前記ページに基づいて前記イニシエータUEと安全に通信するようにさらに構成される、ターゲットUE。
【請求項１５】
前記サービングエンティティが、発展型ノードB(eNB)、またはモビリティ管理エンティティ(MME)のうちの1つを備える、請求項14に記載のターゲットUE。
【請求項１６】
タイムフレームを通信するための手段をさらに含み、前記タイムフレームの間に前記ターゲットUEが通信のためにページングされ得る、請求項14に記載のターゲットUE。
【請求項１７】
前記受信されたページが、前記表現から導出されたページング識別子(PGID)、Globally Unique Temporary Identifier(GUTI)、または前記GUTIのサブセットのうちの少なくとも1つを含み、直接ページング無線ネットワーク一時的識別子(DP-RNTI)を用いてスクランブルされる、請求項14に記載のターゲットUE。
【請求項１８】
前記受信されたページが、前記イニシエータUEに関連付けられた識別子を含む、請求項14に記載のターゲットUE。
【請求項１９】
前記イニシエータUEと安全に通信するためのキーを前記サービングエンティティから受信するための手段をさらに含む、請求項14に記載のターゲットUE。
【請求項２０】
ターゲットユーザ機器(UE)から第1の表現を受信するための手段と、
イニシエータUEから第2の表現を受信するための手段と、
前記第2の表現が前記第1の表現に適合すると判断すると、前記ターゲットUEにページを送信するための手段とを含む、サービングエンティティ。
【請求項２１】
前記サービングエンティティが、発展型ノードB(eNB)、またはモビリティ管理エンティティ(MME)のうちの1つを備える、請求項20に記載のサービングエンティティ。
【請求項２２】
タイムフレームを受信するための手段をさらに含み、前記タイムフレームの間に前記ターゲットUEが通信のためにページングされ得る、請求項20に記載のサービングエンティティ。
【請求項２３】
現在時刻が前記受信されたタイムフレーム内にあると判断するときだけ、前記ページが送信される、請求項22に記載のサービングエンティティ。
【請求項２４】
前記第1の表現から導出されたページング識別子(PGID)、Globally Unique Temporary Identifier(GUTI)、または前記GUTIのサブセットのうちの少なくとも1つを含むアイデンティティ/識別子を決定するための手段をさらに含み、前記ページが、前記決定されたアイデンティティ/識別子を含み、直接ページング無線ネットワーク一時的識別子(DP-RNTI)を用いてスクランブルされる、請求項20に記載のサービングエンティティ。
【請求項２５】
前記ページが、前記イニシエータUEに関連付けられた識別子を含む、請求項20に記載のサービングエンティティ。
【請求項２６】
前記ターゲットUEおよび前記イニシエータUEが一緒に安全に通信することを可能にするためのキーを前記ターゲットUEおよび前記イニシエータUEに送信するための手段をさらに含む、請求項20に記載のサービングエンティティ。
【請求項２７】
ワイヤレス通信のためのターゲットユーザ機器(UE)であって、
前記ターゲットUEの表現をサービングエンティティに伝達することと、
イニシエータUEと通信するために前記サービングエンティティから開始されたページを受信することと、
前記ページに基づいて前記イニシエータUEと安全に通信することとを行うように構成された処理システムを備える、ターゲットUE。
【請求項２８】
ターゲットユーザ機器(UE)から第1の表現を受信することと、
イニシエータUEから第2の表現を受信することと、
前記第2の表現が前記第1の表現に適合すると判断すると、前記ターゲットUEにページを送信することとを行うように構成された処理システムを備える、サービングエンティティ。
【請求項２９】
ワイヤレス通信のためのターゲットユーザ機器(UE)におけるコンピュータプログラムであって、
前記ターゲットUEの表現をサービングエンティティに伝達することと、
イニシエータUEと通信するために前記サービングエンティティから開始されたページを受信することと、
前記ページに基づいて前記イニシエータUEと安全に通信することとに対するコードを備える、コンピュータプログラム。
【請求項３０】
サービングエンティティにおけるコンピュータプログラムであって、
ターゲットユーザ機器(UE)から第1の表現を受信することと、
イニシエータUEから第2の表現を受信することと、
前記第2の表現が前記第1の表現に適合すると判断すると、前記ターゲットUEにページを送信することとに対するコードを備える、コンピュータプログラム。
【発明の詳細な説明】
【技術分野】
【０００１】
米国特許法第119条に基づく優先権の主張
本特許出願は、本出願の譲受人に譲渡され、参照により本明細書に明確に組み込まれる、2012年1月31日に出願された「NETWORK-ASSISTED PAGING OF LTE DEVICES VIA A COMMON ENTITY」と題する米国仮出願第61/593,261号の優先権を主張する。
【０００２】
本開示は、一般に、通信システムに関し、より詳細には、共通エンティティを介するロングタームエボリューション(LTE)デバイスのネットワーク支援型ページングに関する。
【背景技術】
【０００３】
電話、ビデオ、データ、メッセージング、および放送などの様々な遠隔通信サービスを提供するために、ワイヤレス通信システムが広範囲に配備されている。典型的なワイヤレス通信システムは、利用可能なシステムリソース(たとえば、帯域幅、送信電力)を共有することによって、複数のユーザとの通信をサポートすることが可能な多元接続技術を使用し得る。そのような多元接続技術の例には、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムがある。
【０００４】
これらの多元接続技術は、異なるワイヤレスデバイスが地方、国家、領域、および地球規模で通信することを可能にする共通プロトコルを提供するために、様々な電気通信規格において採用されてきた。新興の電気通信規格の一例はLTEである。LTEは、第3世代パートナーシッププロジェクト(3GPP)によって公表されたユニバーサルモバイル通信システム(UMTS)モバイル規格に対する拡張のセットである。LTEは、スペクトル効率を改善することによってモバイルブロードバンドインターネットアクセスをより良くサポートすることと、コストを下げることと、サービスを改善することと、新しいスペクトルを使用することと、ダウンリンク(DL)でOFDMAを、アップリンク(UL)でSC-FDMAを、そして多入力多出力(MIMO)アンテナ技術を使用して他のオープンスタンダードとより良く融合することとを行うように設計されている。しかしながら、モバイルブロードバンドアクセスに対する要求が引き続き増しているので、LTE技術におけるさらなる改善の必要性が存在する。好ましくは、これらの改善は、これらの技術を使用する他の多元接続技術および電気通信規格に適用可能であるべきである。
【発明の概要】
【課題を解決するための手段】
【０００５】
以下で、1つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、1つまたは複数の態様のいくつかの概念を簡略化された形で提示することである。
【０００６】
本開示のある態様では、方法、コンピュータプログラム製品、および装置が提供される。装置は、ターゲットUEであってよい。ターゲットUEは、サービングエンティティにターゲットUEの表現（expression）を伝達する。ターゲットUEは、イニシエータUEと通信するためにサービングエンティティから開始されたページを受信する。ターゲットUEは、少なくともページに基づいてイニシエータUEと通信する。
【０００７】
関係する態様によれば、共通エンティティを介してLTEデバイスのネットワーク支援型ページングを提供するための方法が提供される。方法は、サービングエンティティにターゲットUEの表現を伝達するステップを含み得る。さらに、方法は、イニシエータUEと通信するためにサービングエンティティから開始されたページを受信するステップを含み得る。その上、方法は、少なくともページに基づいてイニシエータUEと通信するステップを含み得る。
【０００８】
別の態様は、共通エンティティを介してLTEデバイスのネットワーク支援型ページングを提供することを可能にされた通信装置に関する。通信装置は、サービングエンティティにターゲットUEの表現を伝達するための手段を含み得る。さらに、通信装置は、イニシエータUEと通信するためにサービングエンティティから開始されたページを受信するための手段を含み得る。その上、通信装置は、少なくともページに基づいてイニシエータUEと通信するための手段を含み得る。
【０００９】
別の態様は、通信装置に関する。装置は、サービングエンティティにターゲットUEの表現を伝達するように構成された処理システムを含み得る。さらに、処理システムは、イニシエータUEと通信するためにサービングエンティティから開始されたページを受信するように構成され得る。その上、処理システムは、少なくともページに基づいてイニシエータUEと通信するようにさらに構成され得る。
【００１０】
さらに別の態様は、サービングエンティティにターゲットUEの表現を伝達するためのコードを含むコンピュータ可読媒体を有し得るコンピュータプログラム製品に関する。さらに、コンピュータ可読媒体は、イニシエータUEと通信するためにサービングエンティティから開始されたページを受信するためのコードを含み得る。その上、コンピュータ可読媒体は、少なくともページに基づいてイニシエータUEと通信するためのコードを含み得る。
【００１１】
本開示のある態様では、方法、コンピュータプログラム製品、および装置が提供される。装置は、サービングエンティティであってよい。サービングエンティティは、ターゲットUEから第1の表現を受信する。サービングエンティティは、イニシエータUEから第2の表現を受信する。サービングエンティティは、第2の表現が第1の表現に適合すると判断すると、ターゲットUEにページを送信する。
【００１２】
関係する態様によれば、共通エンティティを介してLTEデバイスのネットワーク支援型ページングを提供するための方法が提供される。方法は、ターゲットUEから第1の表現を、サービングエンティティによって受信するステップを含み得る。さらに、方法は、イニシエータUEから第2の表現を受信するステップを含み得る。その上、方法は、第2の表現が第1の表現に適合すると判断すると、ターゲットUEにページを送信するステップを含み得る。
【００１３】
別の態様は、共通エンティティを介してLTEデバイスのネットワーク支援型ページングを提供することを可能にされた通信装置に関する。通信装置は、ターゲットUEから第1の表現を、サービングエンティティによって受信するための手段を含み得る。さらに、通信装置は、イニシエータUEから第2の表現を受信するための手段を含み得る。その上、通信装置は、第2の表現が第1の表現に適合すると判断すると、ターゲットUEにページを送信するための手段を含み得る。
【００１４】
別の態様は、通信装置に関する。装置は、ターゲットUEから第1の表現を、サービングエンティティによって受信するように構成された処理システムを含み得る。さらに、処理システムは、イニシエータUEから第2の表現を受信するように構成され得る。その上、処理システムは、第2の表現が第1の表現に適合すると判断すると、ターゲットUEにページを送信するようにさらに構成され得る。
【００１５】
さらに別の態様は、ターゲットUEから第1の表現を、サービングエンティティによって受信するためのコードを含むコンピュータ可読媒体を有し得るコンピュータプログラム製品に関する。さらに、コンピュータ可読媒体は、イニシエータUEから第2の表現を受信するためのコードを含み得る。その上、コンピュータ可読媒体は、第2の表現が第1の表現に適合すると判断すると、ターゲットUEにページを送信するためのコードを含み得る。
【００１６】
上記のおよび関連の目的の達成のために、1つまたは複数の態様は、以下で十分に説明し、特許請求の範囲で具体的に指摘する特徴を含む。以下の説明および添付の図面は、1つまたは複数の態様のいくつかの例示的な特徴を詳細に説明する。しかしながら、これらの特徴は、様々な態様の原理が利用され得る様々な方法のうちのいくつかを示すものにすぎず、この説明は、そのようなすべての態様およびそれらの等価物を含むものとする。
【図面の簡単な説明】
【００１７】
【図１】ネットワークアーキテクチャの一例を示す図である。
【図２】アクセスネットワークの一例を示す図である。
【図３】LTEにおけるDLフレーム構造の一例を示す図である。
【図４】LTEにおけるULフレーム構造の一例を示す図である。
【図５】ユーザプレーンおよび制御プレーンの無線プロトコルアーキテクチャの一例を示す図である。
【図６】アクセスネットワーク内の発展型ノードBおよびユーザ機器の一例を示す図である。
【図７】例示的な方法を示す図である。
【図８】第1の例示的な方法を示す図である。
【図９】第2の例示的な方法を示す図である。
【図１０】第3の例示的な方法を示す図である。
【図１１】第4の例示的な方法を示す図である。
【図１２】第5の例示的な方法を示す図である。
【図１３】第6の例示的な方法を示す図である。
【図１４】ワイヤレス通信の第1の方法のフローチャートである。
【図１５】ワイヤレス通信の第2の方法のフローチャートである。
【図１６】ワイヤレス通信の第3の方法のフローチャートである。
【図１７】ワイヤレス通信の第4の方法のフローチャートである。
【図１８】ワイヤレス通信の第5の方法のフローチャートである。
【図１９】ワイヤレス通信の第6の方法のフローチャートである。
【図２０】ワイヤレス通信の第7の方法のフローチャートである。
【図２１】ワイヤレス通信の第8の方法のフローチャートである。
【図２２】ワイヤレス通信の第9の方法のフローチャートである。
【図２３】例示的なMME装置内の異なるモジュール/手段/構成要素の間のデータフローを示す概念的データフロー図である。
【図２４】処理システムを使用するMME装置のためのハードウェア実装の一例を示す図である。
【図２５】例示的なサービングエンティティ装置内の異なるモジュール/手段/構成要素の間のデータフローを示す概念的データフロー図である。
【図２６】処理システムを使用するサービングエンティティ装置のためのハードウェア実装の一例を示す図である。
【図２７】例示的なUE装置内の異なるモジュール/手段/構成要素の間のデータフローを示す概念的データフロー図である。
【図２８】処理システムを使用するUE装置のためのハードウェア実装の一例を示す図である。
【発明を実施するための形態】
【００１８】
添付の図面に関する下記の詳細な説明は、様々な構成の説明として意図されており、本明細書で説明される概念が実行され得る唯一の構成を表すように意図されているわけではない。詳細な説明は、様々な概念の完全な理解をもたらす目的で、具体的な詳細を含んでいる。しかしながら、これらの概念がこれらの具体的な詳細なしに実行され得ることが、当業者には明らかであろう。場合によっては、そのような概念を曖昧にするのを回避する目的で、周知の構造および構成要素がブロック図の形式で示されている。
【００１９】
次に、様々な装置および方法を参照して、電気通信システムのいくつかの態様について提示する。これらの装置および方法は、以下の発明を実施するための形態で説明され、様々なブロック、モジュール、構成要素、回路、ステップ、プロセス、アルゴリズムなど(集合的に「要素」と呼ばれる)によって添付の図面に示される。これらの要素は、電子ハードウェア、コンピュータソフトウェア、またはそれらの任意の組合せを使用して実装することができる。そのような要素をハードウェアとして実装するか、ソフトウェアとして実装するかは、特定の用途およびシステム全体に課される設計制約に依存する。
【００２０】
例として、要素または要素の任意の部分または要素の任意の組合せを、1つまたは複数のプロセッサを含む「処理システム」で実装することができる。プロセッサの例として、マイクロプロセッサ、マイクロコントローラ、デジタル信号プロセッサ(DSP)、フィールドプログラマブルゲートアレイ(FPGA)、プログラマブル論理デバイス(PLD)、状態機械、ゲート論理、個別ハードウェア回路、および本開示全体にわたって説明される様々な機能を実行するように構成された他の適切なハードウェアがある。処理システム内の1つまたは複数のプロセッサは、ソフトウェアを実行することができる。ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００２１】
したがって、1つまたは複数の例示的な実施形態では、記載された機能は、ハードウェア、ソフトウェア、ファームウェア、またはそれらの任意の組合せで実装され得る。ソフトウェアで実装される場合、機能は、1つまたは複数の命令またはコードとしてコンピュータ可読媒体上に記憶されるか、あるいは符号化され得る。コンピュータ可読媒体は、コンピュータ記憶媒体を含む。記憶媒体は、コンピュータによってアクセスされ得る任意の利用可能な媒体であり得る。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、または、命令もしくはデータ構造の形態の所望のプログラムコードを搬送もしくは記憶するために使用でき、コンピュータによってアクセスできる、任意の他の媒体を含み得る。本明細書で使用する場合、ディスク(disk)およびディスク(disc)は、コンパクトディスク(CD)、レーザーディスク（登録商標）、光ディスク、デジタル多用途ディスク(DVD)、フロッピー（登録商標）ディスク、およびブルーレイディスクを含み、ディスク(disk)は、通常、磁気的にデータを再生し、ディスク(disc)は、レーザーで光学的にデータを再生する。上記の組合せもコンピュータ可読媒体の範囲内に含めるべきである。
【００２２】
図1は、LTEネットワークアーキテクチャ100を示す図である。LTEネットワークアーキテクチャ100は、発展型パケットシステム(EPS)100と呼ばれることがある。EPS100は、1つまたは複数のユーザ機器(UE)102、発展型UMTS地上波無線アクセスネットワーク(E-UTRAN)104、発展型パケットコア(EPC)110、ホーム加入者サーバ(HSS)120、および事業者のIPサービス122を含み得る。EPSは、他のアクセスネットワークと相互接続し得るが、簡単のために、それらのエンティティ/インターフェースは示していない。図示のように、EPSはパケット交換サービスを提供するが、本開示を通して提示する様々な概念が、回線交換サービスを提供するネットワークに拡張され得ることは、当業者には容易に諒解されよう。
【００２３】
E-UTRANは、発展型ノードB(eNB)106および他のeNB108を含む。eNB106は、ユーザおよび制御プレーンに、UE102に向けたプロトコル終端を提供する。eNB106は、X2インターフェース(たとえば、バックホール)を介して他のeNB108に接続され得る。eNB106はまた、基地局、トランシーバ基地局、無線基地局、無線トランシーバ、トランシーバ機能、基本サービスセット(BSS)、拡張サービスセット(ESS)、または何らかの他の適切な用語で呼ばれることがある。eNB106は、UE102に対するEPC110にアクセスポイントを提供する。UE102の例には、携帯電話、スマートフォン、セッション開始プロトコル(SIP)電話、ラップトップ、携帯情報端末(PDA)、衛星ラジオ、全地球測位システム、マルチメディアデバイス、ビデオデバイス、デジタルオーディオプレーヤ(たとえば、MP3プレーヤ)、カメラ、ゲーム機、または任意の他の類似の機能デバイスなどがある。UE102はまた、当業者によって、移動局、加入者局、モバイルユニット、加入者ユニット、ワイヤレスユニット、リモートユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、またはいくつかの他の適切な用語で呼ばれることもある。
【００２４】
eNB106は、S1インターフェースによってEPC110に接続される。EPC110は、モビリティ管理エンティティ(MME)112、他のMME114、サービングゲートウェイ116、およびパケットデータネットワーク(PDN)ゲートウェイ118を含む。MME112は、UE102とEPC110との間のシグナリングを処理する制御ノードである。概して、MME112は、ベアラおよび接続管理を提供する。すべてのユーザIPパケットは、サービングゲートウェイ116を通して転送され、サービングゲートウェイ116自体は、PDNゲートウェイ118に接続される。PDNゲートウェイ118は、IPアドレス割当てならびに他の機能をUEに提供する。PDNゲートウェイ118は、事業者のIPサービス122に接続される。事業者のIPサービス122は、インターネット、イントラネット、IPマルチメディアサブシステム(IMS)、およびPSストリーミングサービス(PSS)を含み得る。
【００２５】
図2は、LTEネットワークアーキテクチャにおけるアクセスネットワーク200の一例を示す図である。この例では、アクセスネットワーク200は、いくつかのセルラー領域(セル)202に分割される。1つまたは複数のより低い電力クラスのeNB208が、セル202のうちの1つまたは複数と重なるセルラー領域210を有し得る。より低い電力クラスのeNB208は、遠隔無線ヘッド(RRH)と呼ばれることがある。より低い電力クラスのeNB208は、フェムトセル(たとえば、ホームeNB(HeNB))、ピコセル、またはマイクロセルであってよい。マクロeNB204は、それぞれのセル202にそれぞれ割り当てられ、セル202内のすべてのUE206に対するEPC110にアクセスポイントを提供するように構成される。アクセスネットワーク200のこの例では集中型コントローラは存在しないが、集中型コントローラは、代替構成において使用され得る。eNB204は、無線ベアラ制御、承認制御、モビリティ制御、スケジューリング、セキュリティ、およびサービングゲートウェイ116への接続性を含むすべての無線関係機能に対する役割を担う。
【００２６】
アクセスネットワーク200によって用いられる変調方式および多元接続方式は、導入されている特定の電気通信規格に応じて異なり得る。LTEアプリケーションにおいて、周波数分割複信(FDD)と時分割複信(TDD)の両方をサポートするために、OFDMがDL上で使用され、SC-FDMAがUL上で使用される。当業者が以下の詳細な説明から容易に諒解するように、本明細書で提示する様々な概念は、LTEアプリケーションに対して十分に好適である。しかしながら、これらの概念は、他の変調技法および多元接続技法を使用する他の電気通信規格に容易に拡張され得る。例として、これらの概念は、Evolution-Data Optimized(EV-DO)またはUltra Mobile Broadband(UMB)に拡張され得る。EV-DOおよびUMBは、CDMA2000規格ファミリーの一部として第3世代パートナーシッププロジェクト2(3GPP2)によって公表されたエアインターフェース規格であり、CDMAを用いて移動局にブロードバンドインターネットアクセスを提供する。これらの概念はまた、広帯域CDMA(W-CDMA)およびTD-SCDMAなどのCDMAの他の変形態を用いるUniversal Terrestrial Radio Access(UTRA)、TDMAを用いるGlobal System for Mobile Communications(GSM（登録商標）)、ならびにOFDMAを用いるEvolved UTRA(E-UTRA)、IEEE802.11(Wi-Fi)、IEEE802.16(WiMAX)、IEEE802.20、およびFlash-OFDMに拡張され得る。UTRA、E-UTRA、UMTS、LTE、およびGSM（登録商標）は、3GPP団体による文書に記述されている。CDMA2000およびUMBは、3GPP2団体による文書に記述されている。実際の利用されるワイヤレス通信規格、多元接続技術は、具体的な用途およびシステム全体に課される設計制約に依存する。
【００２７】
eNB204は、MIMO技術をサポートする複数のアンテナを有し得る。MIMO技術の使用により、eNB204は空間領域を活用して、空間多重化、ビームフォーミング、および送信ダイバーシティをサポートすることができる。空間多重化は、同じ周波数で同時に様々なデータストリームを送信するために使用され得る。データストリームは、データレートを上げるために単一のUE206に送信されてよく、または全体的なシステム容量を拡大するために複数のUE206に送信されてもよい。これは、(たとえば、振幅および位相のスケーリングを適用して)各データストリームを空間的にプリコーディングし、次いで空間的にプリコードされた各ストリームをDLで複数の送信アンテナを介して送信することによって達成される。空間的にプリコーディングされたデータストリームは、様々な空間シグネチャを伴いUE206に到着し、これによりUE206の各々は、当該UE206に向けられた1つまたは複数のデータストリームを回復することができる。UL上では、各UE206は、空間的にプリコードされたデータストリームを送信し、これによりeNB204は空間的にプリコードされた各データストリームのソースを識別することができる。
【００２８】
空間多重化は、一般に、チャネル状態が良好なときに使用される。チャネル状態がさほど好ましくないときは、ビームフォーミングを使用して送信エネルギーを1つまたは複数の方向に集中させ得る。これは、複数のアンテナを介して送信するデータを空間的にプリコードすることによって達成できる。セルの端において良好なカバレージを達成するために、シングルストリームビームフォーミング送信を送信ダイバーシティと組み合わせて使用できる。
【００２９】
以下の詳細な説明では、アクセスネットワークの様々な態様が、DL上でOFDMをサポートするMIMOシステムを参照して説明される。OFDMは、OFDMシンボル内のいくつかのサブキャリアを介してデータを変調するスペクトラム拡散技法である。サブキャリアは、正確な周波数で離間される。離間は、受信機がサブキャリアからのデータを回復することを可能にする「直交性」をもたらす。時間領域では、ガード間隔(たとえば、サイクリックプレフィックス)が、OFDMシンボル間干渉(inter-OFDM-symbol interference)に対処するために、各OFDMシンボルに追加され得る。ULは、高いピーク対平均電力比(PAPR)を補償するために、DFT拡散OFDM信号の形態でSC-FDMAを使用することができる。
【００３０】
図3は、LTEにおけるDLフレーム構造の一例を示す図300である。フレーム(10ms)は、10の等しいサイズのサブフレームに分割され得る。各サブフレームは、2つの連続するタイムスロットを含むことができる。リソースグリッドは、2つのタイムスロットを表すために使用され、各タイムスロットは、リソースブロックを含むことができる。リソースグリッドは、複数のリソース要素に分割される。LTEでは、リソースブロックは、周波数領域内に12の連続するサブキャリアを含み、各OFDMシンボル内の通常サイクリックプレフィックスに対して、時間領域内に7つの連続するOFDMシンボルを含み、したがって84のリソース要素を含む。拡張サイクリックプレフィックスに対して、リソースブロックは、時間領域内に6つの連続するOFDMシンボルを含み、72のリソース要素を有する。R302、304として示すように、リソース要素のいくつかは、DL基準信号(DL-RS)を含む。DL-RSは、セル固有RS(CRS)(時々、共通RSとも呼ばれる)302およびUE固有RS(UE-RS)304を含む。UE-RS304は、対応する物理DL共有チャネル(PDSCH)がマッピングされるリソースブロック上にのみ送信される。各リソース要素によって搬送されるビットの数は、変調方式に依存する。したがって、UEが受信するリソースブロックが多いほど、また変調方式が高いほど、UEに対するデータレートは高くなる。
【００３１】
図4は、LTEにおけるULフレーム構造の一例を示す図400である。ULのために利用可能なリソースブロックは、データセクションと制御セクションとに分割され得る。制御セクションは、システム帯域幅の2つの端部に形成されてよく、構成可能なサイズを有し得る。制御セクションのリソースブロックは、制御情報の送信のためにUEに割り当てられ得る。データセクションは、制御セクションに含まれないすべてのリソースブロックを含み得る。ULフレーム構造が、連続するサブキャリアを含むデータセクションをもたらし、これにより、単一のUEが、データセクションの中の連続するサブキャリアのすべてを割り当てられるようになり得る。
【００３２】
UEは、eNBに制御情報を送信するために、制御セクションの中のリソースブロック410a、410bを割り当てられ得る。UEには、eNBにデータを送信するためにデータセクション中のリソースブロック420a、420bも割り当てられ得る。UEは、制御セクション中の割り当てられたリソースブロック上の物理UL制御チャネル(PUCCH)中で制御情報を送信し得る。UEは、データセクションの中の割り当てられたリソースブロックで、物理UL共有チャネル(PUSCH)で、データのみまたはデータと制御情報の両方を、送信することができる。UL送信は、サブフレームの両方のスロットにわたってもよく、周波数にまたがってホッピングしてもよい。
【００３３】
リソースブロックのセットは、最初のシステムアクセスを実行するために使用され、物理ランダムアクセスチャネル(PRACH)430内でUL同期を達成することができる。PRACH430は、ランダムシーケンスを搬送し、ULデータ/シグナリングを搬送できない。各ランダムアクセスプリアンブルは、6つの連続するリソースブロックに対応する帯域幅を占有する。開始周波数は、ネットワークによって指定される。すなわち、ランダムアクセスプリアンブルの送信は、一定の時間リソースおよび周波数リソースに限定される。PRACHに対して周波数ホッピングは存在しない。PRACH試行は、単一のサブフレーム(1ms)内またはいくつかの連続するサブフレームのシーケンス内で搬送され、UEは、フレーム(10ms)当たり1つだけのPRACH試行を行うことができる。
【００３４】
図5は、LTEにおけるユーザプレーンおよび制御プレーンの無線プロトコルアーキテクチャの一例を示す図500である。UEおよびeNBの無線プロトコルアーキテクチャは、3つの層、すなわち層1、層2、および層3で示される。層1(L1層)は最下層であり、様々な物理層の信号処理機能を実施する。L1層は、本明細書では物理層506と呼ばれる。層2(L2層)508は、物理層506の上にあり、物理層506を通じたUEとeNBとの間のリンクの役割を担う。
【００３５】
ユーザプレーンでは、L2層508は、媒体アクセス制御(MAC)副層510、無線リンク制御(RLC)副層512、およびパケットデータコンバージェンスプロトコル(PDCP)副層514を含み、これらはネットワーク側のeNBで終端する。図示されていないが、UEは、ネットワーク側のPDNゲートウェイ118で終端するネットワーク層(たとえばIP層)と、接続の他の端部(たとえば、遠端のUE、サーバなど)で終端するアプリケーション層とを含めて、L2層508より上にいくつかの上位層を有し得る。
【００３６】
PDCP副層514は、異なる無線ベアラと論理チャネルとの間の多重化を行う。PDCP副層514はまた、無線送信のオーバーヘッドを低減するための上位層データパケットのヘッダ圧縮、データパケットの暗号化によるセキュリティ、および、eNB間のUEのハンドオーバのサポートを実現する。RLC副層512は、上位層データパケットのセグメント化および再構築、失われたデータパケットの再送信、ならびに、ハイブリッド自動再送要求(HARQ)による順序の狂った受信を補償するためのデータパケットの再順序付けを行う。MAC副層510は、論理チャネルとトランスポートチャネルとの間の多重化を行う。MAC副層510はまた、1つのセルの中の様々な無線リソース(たとえばリソースブロック)の複数のUEへの割当ての役割を担う。MAC副層510はまた、HARQ動作に対する役割を担う。
【００３７】
制御プレーンにおいて、UEおよびeNBの無線プロトコルアーキテクチャは、制御プレーンに対するヘッダ圧縮機能が存在しないことを除いて、物理層506およびL2層508と実質的に同じである。制御プレーンはまた、層3(L3層)内に無線リソース制御(RRC)副層516を含む。RRC副層516は、無線リソース(たとえば、無線ベアラ)を取得することと、eNBとUEとの間のRRCシグナリングを使用してより低い層を構成することとを行う役割を担う。
【００３８】
図6は、アクセスネットワーク内でUE650と通信しているeNB610のブロック図である。DLでは、コアネットワークからの上位層パケットが、コントローラ/プロセッサ675に与えられる。コントローラ/プロセッサ675は、L2層の機能を実施する。DLでは、コントローラ/プロセッサ675は、ヘッダ圧縮、暗号化、パケットセグメンテーションおよび再順序付け、論理チャネルとトランスポートチャネルとの間の多重化、ならびに様々な優先度メトリックに基づくUE650への無線リソースの割当てを提供する。コントローラ/プロセッサ675はまた、HARQ動作、失われたパケットの再送信、およびUE650へのシグナリングを行う役割を担う。
【００３９】
送信(TX)プロセッサ616は、L1層(たとえば、物理層)に対して様々な信号処理機能を実施する。信号処理機能は、UE650において前方誤り訂正(FEC)を可能にするためのコーディングおよびインターリービングするステップと、様々な変調方式(たとえば、2位相偏移変調(BPSK)、4位相偏移変調(QPSK)、M位相偏移変調(M-PSK)、M-直交振幅変調(M-QAM))に基づいて信号コンスタレーションにマッピングするステップとを含む。次いで、コード化シンボルおよび被変調シンボルは、並列ストリームに分離される。次いで、各ストリームは、OFDMサブキャリアにマッピングされ、時間領域および/または周波数領域内で基準信号(たとえば、パイロット)と多重化され、次いで、時間領域OFDMシンボルストリームを搬送する物理チャネルを作成するために、逆高速フーリエ変換(IFFT)を使用して一緒に組み合わされる。OFDMストリームは、複数の空間ストリームを作成するために空間的にプリコードされる。チャネル推定器674によるチャネル推定が、コーディング方式および変調方式を決定するため、ならびに空間処理のために、使用され得る。チャネル推定は、基準信号および/またはUE650によって送信されるチャネル状態フィードバックから導出され得る。次いで、各空間ストリームは、それぞれの送信機618TXを介して異なるアンテナ620に供給される。各送信機618TXは、送信のためにそれぞれの空間ストリームでRFキャリアを変調する。
【００４０】
UE650において、各受信機654RXは、それのそれぞれのアンテナ652を通じて信号を受信する。各受信機654RXは、RFキャリア上に変調された情報を回復し、受信(RX)プロセッサ656に情報を供給する。RXプロセッサ656は、L1層に対して様々な信号処理機能を実施する。RXプロセッサ656は、情報に対して空間処理を実行して、UE650に向けられたあらゆる空間ストリームを回復する。複数の空間ストリームがUE650に向けられている場合、それらは、RXプロセッサ656によって組み合わされて、単一のOFDMシンボルストリームになる。次いで、RXプロセッサ656は、OFDMシンボルストリームを、高速フーリエ変換(FFT)を使用して時間領域から周波数領域に変換する。周波数領域信号は、OFDM信号のサブキャリアごとに個別のOFDMシンボルストリームを含む。各サブキャリア上のシンボルおよび基準信号は回復され、最も可能性の高い、eNB610によって送信された信号コンスタレーションポイントを判断することによって復調される。これらの軟判定は、チャネル推定器658によって計算されるチャネル推定に基づき得る。次いで、軟判定は、復号され、デインターリーブされて、データを回復し、物理チャネル上でeNB610によって最初に送信された信号を制御する。次に、データおよび制御信号は、コントローラ/プロセッサ659に供給される。
【００４１】
コントローラ/プロセッサ659は、L2層を実施する。コントローラ/プロセッサは、プログラムコードおよびデータを記憶するメモリ660に関連付けられ得る。メモリ660は、コンピュータ可読媒体と呼ばれる場合もある。ULにおいて、コントローラ/プロセッサ659は、トランスポートチャネルと論理チャネルとの間の逆多重化、パケットリアセンブリ、復号、ヘッダ圧縮、コアネットワークから上位層パケットを回復するための制御信号処理を提供する。次いで、上位層パケットは、L2層の上のすべてのプロトコル層を表すデータシンク662に供給される。様々な制御信号はまた、L3処理のためにデータシンク662に供給され得る。コントローラ/プロセッサ659はまた、HARQ動作をサポートするために、肯定応答(ACK)プロトコルおよび/または否定応答(NACK)プロトコルを使用して誤り検出を行う役割を担う。
【００４２】
ULにおいて、データソース667は、コントローラ/プロセッサ659に上位層パケットを供給するために使用される。データソース667は、L2層の上のすべてのプロトコル層を表す。eNB610によるDL送信に関して説明する機能に類似して、コントローラ/プロセッサ659は、ヘッダ圧縮、暗号化、パケットセグメンテーションおよび再順序付け、ならびにeNB610による無線リソース割当てに基づく論理チャネルとトランスポートチャネルとの間の多重化を提供することによって、ユーザプレーンおよび制御プレーンに対してL2層を実施する。コントローラ/プロセッサ659はまた、HARQ動作、失われたパケットの再送信、およびeNB610へのシグナリングを行う役割を担う。
【００４３】
基準信号またはeNB610によって送信されたフィードバックからチャネル推定器658によって導出されたチャネル推定は、適切なコーディングおよび変調方式を選択するため、および空間処理を可能にするために、TXプロセッサ668によって使用され得る。TXプロセッサ668によって生成された空間ストリームは、個別の送信機654TXを介して異なるアンテナ652に供給される。各送信機654TXは、送信のためにそれぞれの空間ストリームでRFキャリアを変調する。
【００４４】
UL送信は、UE650において受信機能に関して説明したのと同様の方式で、eNB610において処理される。各受信機618RXは、そのそれぞれのアンテナ620を通じて信号を受信する。各受信機618RXは、RFキャリア上に変調された情報を回復し、RXプロセッサ670に情報を供給する。RXプロセッサ670は、L1層を実施し得る。
【００４５】
コントローラ/プロセッサ675は、L2層を実施する。コントローラ/プロセッサ675は、プログラムコードおよびデータを記憶するメモリ676に関連付けられ得る。メモリ676は、コンピュータ可読媒体と呼ばれる場合もある。ULにおいて、コントローラ/プロセッサ675は、トランスポートチャネルと論理チャネルとの間の逆多重化、パケットリアセンブリ、復号、ヘッダ圧縮、UE650から上位層パケットを回復するための制御信号処理を提供する。コントローラ/プロセッサ675からの上位層パケットは、コアネットワークに供給され得る。コントローラ/プロセッサ675はまた、HARQ動作をサポートするために、ACKプロトコルおよび/またはNACKプロトコルを使用して誤り検出を行う役割を担う。
【００４６】
UEは、互いの間の直接通信を介して、またはワイヤレス広域ネットワーク(WWAN)の支援を介して、直接ピアツーピア(デバイス間とも呼ばれる)セッションを設立し得る。WWANは、一緒に通信することを望む2つのUEに多かれ少なかれ支援を提供し得る。第1の構成では、WWANは、UE間の直接ピアツーピア通信に先立ってUE対UEシグナリングを搬送する。そのような構成では、UEは、1つまたは複数のモビリティ管理エンティティ(MME)によってセッションセットアップをトリガするために、WWANを介して情報を交換する。第2の構成では、WWANは、UE間の直接ピアツーピア通信に先立ってUE対UEシグナリングを搬送しない。そのような構成では、UEは、直接シグナリングの前に、それらのそれぞれのMMEとだけ通信する。両構成では、MMEは、キー材料およびEPSベアラセットアップ情報を発行し、事業者は、サービスの品質(QoS)、キーリフレッシュの時間周波数などを制御し、UEは、直接シグナリングによって後で安全な無線ベアラをセットアップする。例示的な方法を、WWAN支援ピアツーピアセッション設立に対して、以下で提供する。
【００４７】
図7は、例示的な方法を示す図700である。eNB702はMME1およびMME2に接続され、eNB704はMME2、MME3およびMME4に接続される。したがって、eNB702とWWAN通信しているUE710は、MME1またはMME2によってサービスされ得る。同様に、いずれもeNB704と通信しているUE706およびUE712は、各々、MME2、MME3またはMME4のうちのいずれか1つによってサービスされ得る。図7に示すように、UE706(ターゲットUE)は、他のUEがピアツーピア通信に対してUE706を発見できるように、表現708をブロードキャストする。表現は、他のUEがUE706を発見し、UE706と通信したいかどうかを判断するのを助けるために、UE706がブロードキャストし得る文字のセットである。
【００４８】
UE710(イニシエータUE)は、表現を受信し、直接UE706と通信したいことを判断する。一緒に通信する716ためのパラメータ(たとえば、1つまたは複数のキーおよび他の設定値)を設立するために、UE710は、eNB702とのWWAN通信714aを介してそれのサービングMMEと通信し、UE706は、eNB704とのWWAN通信714bを介してそれのサービングMME(同じMMEでも異なるMMEでもよい)と通信する。同様に、UE712(イニシエータUE)は、表現を受信し、直接UE706と通信したいことを判断する。一緒に通信する720ためのパラメータ/キーおよび他の設定を設立するために、UE712は、eNB702とのWWAN通信718aを介してそれのサービングMMEと通信し、UE706は、eNB704とのWWAN通信718bを介してそれのサービングMME(同じMMEでも異なるMMEでもよい)と通信する。
【００４９】
図8は、第1の例示的な方法を示す図800である。図8に示すように、動作812で、イニシエータUE802は、ターゲットUE810のターゲット表現を識別し、ドメインネームサーバ(DNS)806内のターゲット表現を調べる。DNS806から、イニシエータUE802は、ターゲットUE810のネットワークアドレスを受信する。動作814で、イニシエータUE802は、受信されたネットワークアドレスにおけるターゲットUE810に接続要求を送信する。接続要求は、イニシエータUE802のネットワークアドレス、イニシエータUE802のイニシエータ表現、および/またはイニシエータUE802をサービスするMMEI 804を識別する情報など、イニシエータUE802に関連する情報を含む。本明細書で使用する「MMEを識別する情報」という表現は、MMEを識別する情報またはMMEを識別ために使用される情報を意味する。接続要求は、ターゲット表現をさらに含み得る。動作816で、ターゲットUE810は、MMET 808にPDN接続要求を送信する。PDN接続要求は、イニシエータ表現および/またはMMEI 804を識別する情報など、イニシエータUE802に関連する情報を含む。PDN接続要求は、ターゲット表現をさらに含み得る。動作818で、イニシエータUE802は、MMEI 804にPDN接続要求を送信する。PDN接続要求は、ターゲット表現など、ターゲットUE810に関連する情報を含む。PDN接続要求は、イニシエータ表現をさらに含み得る。動作820で、動作816においてPDN接続要求内で受信されるMMEI 804を識別するための情報に基づいて、MMET 808がMMEI 804に接触し、MMET 808およびMMEI 804は、UE802とUE810との間のセッション設立のためのパラメータをネゴシエートする。パラメータは、UE802、810が一緒に安全に通信することを可能にするためのキーを含み得る。動作824で、MMEI 804は、イニシエータUE802に直接ベアラコンテキスト活性化要求を送信する。直接ベアラコンテキスト活性化要求は、ネゴシエートされたパラメータを含む。直接ベアラコンテキスト活性化要求は、MMET 808を識別する情報、ターゲット表現および/またはイニシエータ表現をさらに含み得る。動作826で、MMET 808は、ターゲットUE810に直接ベアラコンテキスト活性化要求を送信する。直接ベアラコンテキスト活性化要求は、ネゴシエートされたパラメータを含む。直接ベアラコンテキスト活性化要求は、ターゲット表現および/またはイニシエータ表現をさらに含み得る。動作828で、ターゲットUE810は、動作814における接続要求に応答してイニシエータUE802に接続応答を送信する。接続応答は、MMET 808を識別する情報および/またはターゲットUE810の識別子IDTを含み得る。接続応答は、ターゲット表現および/またはイニシエータ表現をさらに含み得る。動作830で、イニシエータUE802は、ターゲットUE810に接続応答肯定応答を送信し得る。動作832で、UE802、810は、セッションキー設立および下位層設定を実行する。動作834で、UE802、810は、ピアツーピア通信を介するキーに基づいて直接通信する。代替として、動作834で、UE802、810は、WWANを介するキーに基づいて一緒に通信し得る。
【００５０】
図9は、第2の例示的な方法を示す図900である。図9に示すように、動作912で、イニシエータUE902は、ターゲットUE910のターゲット表現を識別し、DNS906内のターゲット表現を調べる。DNS906から、イニシエータUE902は、ターゲットUE910のネットワークアドレスを受信する。動作914で、イニシエータUE902は、受信されたネットワークアドレスにおけるターゲットUE910に接続要求を送信する。接続要求は、イニシエータUE902のネットワークアドレス、イニシエータUE902のイニシエータ表現、および/またはイニシエータUE902をサービスするMMEI 904を識別する情報など、イニシエータUE902に関連する情報を含む。接続要求は、ターゲット表現をさらに含み得る。動作916で、ターゲットUE910は、動作914における接続要求に応答してイニシエータUE902に接続応答を送信する。接続応答は、MMET 908を識別する情報および/またはターゲットUE910の識別子を含み得る。接続応答は、ターゲット表現および/またはイニシエータ表現をさらに含み得る。動作918で、ターゲットUE910は、MMET 908にPDN接続要求を送信する。PDN接続要求は、イニシエータ表現および/またはMMEI 904を識別する情報など、イニシエータUE902に関連する情報を含む。PDN接続要求は、ターゲット表現をさらに含み得る。動作920で、イニシエータUE902は、MMEI 904にPDN接続要求を送信する。PDN接続要求は、ターゲット表現および/またはMMET 908を識別する情報など、ターゲットUE910に関連する情報を含む。PDN接続要求は、イニシエータ表現をさらに含み得る。動作922で、MMET 908およびMMEI 904は、UE902とUE910との間のセッション設立のためのパラメータをネゴシエートする。パラメータは、UE902、910が一緒に安全に通信することを可能にするためのキーを含み得る。動作924で、MMEI 904は、イニシエータUE902に直接ベアラコンテキスト活性化要求を送信する。直接ベアラコンテキスト活性化要求は、ネゴシエートされたパラメータを含む。直接ベアラコンテキスト活性化要求は、ターゲット表現および/またはイニシエータ表現をさらに含み得る。動作926で、MMET 908は、ターゲットUE910に直接ベアラコンテキスト活性化要求を送信する。直接ベアラコンテキスト活性化要求は、ネゴシエートされたパラメータを含む。直接ベアラコンテキスト活性化要求は、ターゲット表現および/またはイニシエータ表現をさらに含み得る。動作930で、イニシエータUE902は、ターゲットUE910に接続要求肯定応答を送信し得る。動作932で、UE902、910は、セッションキー設立および下位層設定を実行する。動作934で、UE902、910は、ピアツーピア通信を介するキーに基づいて直接通信する。代替として、動作934で、UE902、910は、WWANを介するキーに基づいて一緒に通信し得る。
【００５１】
図10は、第3の例示的な方法を示す図1000である。図10に示すように動作1012で、イニシエータUE1002は、MMEI 1004にPDN接続要求を送信する。PDN接続要求は、ターゲットUE1010のターゲット表現を含み、イニシエータUE1002のイニシエータ表現をさらに含み得る。動作1014で、MMEI 1004は、ターゲットUE1010を現在サービスしているMMET 1008を決定するために、表現加入者データベース(expression subscriber database)(ESDB)1006内でターゲット表現を調べる。一態様では、ESDB1006は、告知のためでありかつ/またはページング可能である、現在アクティブな表現に関連する、現在のセルラー識別子またはそれの一部分の記憶をもたらすネットワーク関数であってよい。一態様では、ESDB1006は、DNSに関連付けられ得る。別の態様では、ESDB1006は、MME(たとえば、MME1004、1008)に関連付けられ得る。動作1018で、MMEI 1004はMMET 1008に接触し、UE1002とUE1010との間のセッション設立のためのパラメータをネゴシエートする。パラメータは、UE1002、1010が一緒に安全に通信することを可能にするためのキーを含み得る。動作1020で、MMET 1008は、ターゲットUE1010に直接ベアラコンテキスト活性化要求を送信する。直接ベアラコンテキスト活性化要求は、ネゴシエートされたパラメータを含み、ターゲット表現および/またはイニシエータ表現をさらに含み得る。動作1022で、ターゲットUE1010は、MMET 1008に直接ベアラコンテキスト活性化受付メッセージを送信する。動作1024で、MMET 1008は、ターゲットUE1010が直接ベアラコンテキスト活性化要求を受け付けたことをMMEI 1004に通知するために、MMEI 1004にターゲットチェックイン通知メッセージを送信する。動作1026で、MMEI 1004は、イニシエータUE1002に直接ベアラコンテキスト活性化要求を送信する。直接ベアラコンテキスト活性化要求は、ネゴシエートされたパラメータを含み、ターゲット表現および/またはイニシエータ表現をさらに含み得る。動作1028で、イニシエータUE1002は、MMET 1004に直接ベアラコンテキスト活性化受付メッセージを送信する。動作1030で、UE1002、1010は、セッションキー設立および下位層設定を実行する。動作1032で、UE1002、1010は、ピアツーピア通信を介するキーに基づいて直接通信する。代替として、動作1032で、UE1002、1010は、WWANを介するキーに基づいて一緒に通信し得る。
【００５２】
図11は、第4の例示的な方法を示す図1100である。図11に示すように動作1112で、ターゲットUE1110は、サービングエンティティ1104にターゲット表現を伝達する。サービングエンティティは、eNBまたはMMEであってよい。サービングエンティティがMMEである場合、ターゲットUE1110は、それのサービングeNBにターゲット表現を伝達し、サービングeNBは、ターゲットUE1110をサービスするMMEにターゲット表現を伝達する。ターゲットUE1110はまた、タイムフレームをサービングエンティティ1104に伝達し得、タイムフレーム内で、ターゲットUE1110は、他のUEとの通信のためにページングされてもされなくてもよい。動作1114で、イニシエータUE1102は、サービングエンティティ1104にターゲット表現を送信することによってターゲットUEをページングする。動作1116で、サービングエンティティ1104は、動作1114で受信されたターゲット表現が動作1112で受信されたターゲット表現に適合することを判断する。ターゲットUE1110がページングされ得るタイムフレーム(動作1112で受信されている場合)内に現在時刻がある場合、サービングエンティティ1104はターゲットUE1110にページを送信する。ページは、ターゲット表現から導出されたページング識別子(PGID)、Globally Unique Temporary Identifier(GUTI)、またはGUTIのサブセット(たとえば、GUTIの一部分(part or portion))のうちの少なくとも1つを含み、直接ページング無線ネットワーク一時的識別子(direct paging radio network temporary identifier)(DP-RNTI)でスクランブルされ得る。GUTIは、モバイル国コード(MCC)、モバイルネットワークコード(MNC)、MMEグループ識別子、MMEコード(MMEC)、およびMMEモバイル加入者アイデンティティ(M-TMSI)を含み得る。M-TMSIはデバイス固有である。GUTIのサブセットは、MMECおよびM-TMSIを含む、システムアーキテクチャ発展型一時的モバイル加入者アイデンティティ(system architecture evolution temporary mobile subscriber identity)(S-TMSI)であってよい。イニシエータUE1102が動作1114でサービングエンティティ1104にイニシエータ表現を与えたかまたはそれ以外にサービングエンティティ1104がイニシエータUE1102のイニシエータ表現を知っていると仮定すると、ページは、イニシエータUE1102のイニシエータ表現をさらに含み得る。ターゲットUE1110は、それのターゲット表現がページングされているかどうか判断するために、DP-RNTIに基づいてページをデスクランブルし、PGID、GUTI、またはGUTIのサブセットに基づいてページを復号することができる。動作1118で、サービングエンティティ1104は、UE1102、1110が一緒に安全に通信することを可能にするために、ターゲットUE1110にキーを送信する。動作1120で、サービングエンティティ1104はまた、イニシエータUE1102にキーを送信する。動作1122で、UE1102、1110は、セッションキー設立および下位層設定を実行する。動作1124で、UE1102、1110は、ピアツーピア通信を介するキーに基づいて直接通信する。代替として、動作1124で、UE1102、1110は、WWANを介するキーに基づいて一緒に通信し得る。
【００５３】
図12は、第5の例示的な方法を示す図1200である。図12に示すように動作1212で、ターゲットUE1210は、MMET 1208を識別するための情報とともにそれのターゲット表現をブロードキャストする。イニシエータUE1202はブロードキャストを受信する。動作1214で、イニシエータUE1202は、ターゲット表現とMMET 1208を識別するための受信された情報とをMMEI 1204に送信することによって、ターゲットUE1210をページングする。動作1216で、MMEI 1204はMMET 1208に接触し、UE1202とUE1210との間のセッション設立のためのパラメータをネゴシエートする。パラメータは、UE1202、1210が一緒に安全に通信することを可能にするためのキーを含み得る。随意の態様では、動作1217で、MMET 1208およびターゲットUE1210は、ターゲットUE1210が、イニシエータUE1202とのD2D通信への関与に対する意思および/または利用可能性があるかどうかを判断し得る。そのような随意の態様では、ターゲットUE1210がD2D通信に対する意思および/または利用可能性がないと判断すると、コールフローは終了することがある。さらに、そのような随意の態様では、動作1217は、動作1216が完了する前に、動作1216と同時に、および/または動作1216が完了した後に発生することがある。動作1218で、MMEI 1204はまた、イニシエータUE1202に設定情報を送信する。設定情報は、ネゴシエートされたパラメータを含み、ターゲット表現をさらに含むことができる。動作1220で、MMET 1208は、ターゲットUE1210に設定情報を送信する。設定情報は、ネゴシエートされたパラメータを含み、ターゲット表現をさらに含む。動作1222で、UE1202、1210は、セッションキー設立および下位層設定を実行する。動作1224で、UE1202、1210は、ピアツーピア通信を介するキーに基づいて直接通信する。代替として、動作1224で、UE1202、1210は、WWANを介するキーに基づいて一緒に通信し得る。さらに、随意の態様では、ターゲットUE1210は、動作1224で、イニシエータUE1202に意思および/または利用可能性がないことを示し得る。そのような随意の態様では、D2D通信は終了することがある。
【００５４】
図13は、第6の例示的な方法を示す図1300である。図13に示すように、動作1311で、ターゲットUE1310は、ターゲットUE1310を現在サービスしているMMET 1308にそれのターゲット表現を与える。動作1312で、MMET 1308は、ターゲット表現をターゲット識別子(ID)にリンクさせるために、ESDB1306と通信する。ターゲットIDは、ターゲットUE1310をサービスするMMET 1308を識別するための情報である。ターゲットUE1310をサービスするMMET 1308を識別するための情報は、セル番号、ターゲットUE1310のGUTI、またはターゲットUE1310のGUTIのサブセット(たとえば、S-TMSI)であってよい。動作1313で、ターゲットUE1310は、ターゲットIDとともにそれのターゲット表現をブロードキャストする。イニシエータUE1302はブロードキャストを受信する。動作1314で、イニシエータUE1302は、ターゲット表現と受信されたターゲットIDとをMMEI 1304に送信することによって、ターゲットUE1310をページングする。動作1316で、MMEI 1304は、ターゲットIDを用いてESDB1306をクエリし、動作1318で、MMET 1308を識別する情報をESDB1306から取得する。動作1320で、MMEI 1304はMMET 1308に接触し、UE1302とUE1310との間のセッション設立のためのパラメータをネゴシエートする。随意の態様では、動作1321で、MMET 1308およびターゲットUE1310は、ターゲットUE1310が、イニシエータUE1302とのD2D通信への関与に対する意思および/または利用可能性があるかどうかを判断し得る。そのような随意の態様では、ターゲットUE1310がD2D通信に対する意思および/または利用可能性がないと判断すると、コールフローは終了することがある。さらに、そのような随意の態様では、動作1321は、動作1320が完了する前に、動作1320と同時に、および/または動作1320が完了した後に発生することがある。パラメータは、UE1302、1310が一緒に安全に通信することを可能にするためのキーを含み得る。動作1322で、MMEI 1304はまた、イニシエータUE1302に設定情報を送信する。設定情報は、ネゴシエートされたパラメータを含み、ターゲット表現をさらに含む。動作1324で、MMEI 1308は、ターゲットUE1310に設定情報を送信する。設定情報は、ネゴシエートされたパラメータを含み、ターゲット表現および/またはイニシエータ表現をさらに含み得る。動作1326で、UE1302、1310は、セッションキー設立および下位層設定を実行する。動作1328で、UE1302、1310は、ピアツーピア通信を介するキーに基づいて直接通信する。代替として、動作1328で、UE1302、1310は、WWANを介するキーに基づいて一緒に通信し得る。さらに、随意の態様では、ターゲットUE1310は、動作1328で、イニシエータUE1302に意思および/または利用可能性がないことを示し得る。そのような随意の態様では、D2D通信は終了することがある。
【００５５】
図14は、ワイヤレス通信の第1の方法のフローチャート1400である。方法は、イニシエータUEによって実行され得る。随意の態様では、ブロック1402で、イニシエータUEは、ターゲットUEに関連付けられたターゲット表現を識別し得る。ブロック1404で、イニシエータUEは、ターゲット表現に基づいてターゲットUEのネットワークアドレスを決定し得る。ブロック1406で、イニシエータUEは、イニシエータUEに関連する情報を含む接続要求を、決定されたネットワークアドレスにおけるターゲットUEに送信し得る。ブロック1408で、イニシエータUEは、ターゲットUEに関連する情報をイニシエータUEをサービスするMMEに送信し得る。随意の態様では、ブロック1408で、イニシエータUEはまた、情報とともにイニシエータUEのイニシエータ表現を、イニシエータUEをサービスするMMEに送信し得る。別の随意の態様では、ブロック1408で、イニシエータUEはまた、情報とともにターゲット表現を、イニシエータUEをサービスするMMEに送信し得る。ブロック1410で、イニシエータUEは、ターゲットUEと安全に通信するためのキーを、イニシエータUEをサービスするMMEから受信する。随意の態様では、ブロック1412で、イニシエータUEは、接続要求に応答して接続応答を受信する。ブロック1412は、代替として、ブロック1406の後およびブロック1408の前に発生することがある。ブロック1414で、イニシエータUEは、キーに基づいてターゲットUEと安全に通信する。
【００５６】
たとえば、図8を参照すると、イニシエータUE802が、ターゲットUE810に関連付けられたターゲット表現を識別する。動作812で、イニシエータUE802は、ターゲット表現に基づいてターゲットUE810のネットワークアドレスを決定する。動作814で、イニシエータUE802は、イニシエータUE802に関連する情報を含む接続要求を、決定されたネットワークアドレスにおけるターゲットUE810に送信する。動作818で、イニシエータUE802は、ターゲットUE810に関連する情報をイニシエータUE802をサービスするMME804に送信する。動作824で、イニシエータUE802は、ターゲットUE810と安全に通信するためのキーを、イニシエータUE802をサービスするMME804から受信する。動作828で、イニシエータUE802は、接続要求に応答して接続応答を受信する。代替的に、イニシエータUE802は、動作814で接続要求を送信した後、接続応答を受信し得る(たとえば、図9の動作914および916参照)。動作834で、イニシエータUE802は、キーに基づいてターゲットUE810と安全に通信する。
【００５７】
ブロック1406でイニシエータUEに関連する情報は、イニシエータUEのネットワークアドレス、イニシエータUEのイニシエータ表現、イニシエータUEをサービスするMMEを識別する情報などを含み得る。ブロック1406での接続要求は、ターゲット表現をさらに含み得る。ブロック1408で、イニシエータUEはまた、情報とともにイニシエータUEのイニシエータ表現を、イニシエータUEをサービスするMMEに送信し得る。ブロック1408で、イニシエータUEはまた、情報とともにターゲット表現を、イニシエータUEをサービスするMMEに送信し得る。接続応答は、キーがイニシエータUEをサービスするMMEから受信された(たとえば、ブロック1410)後、受信され得る(たとえば、ブロック1412)。代替的に、接続応答は、ブロック1406の後で、かつターゲットUEに関連する情報がイニシエータUEをサービスするMMEに送信されるブロック1408の前に受信され得る(たとえば、ブロック1412)。接続応答は、ターゲットUEをサービスするMMEを識別する情報、ターゲットUEの識別子などを含み得る。情報がイニシエータUEをサービスするMMEに送信される前(たとえば、ブロック1408の前)に、接続応答が受信される場合、ターゲットUEに関連する情報は、ターゲットUEをサービスするMMEを識別する情報、接続応答において受信されたターゲットUEの識別子などを含み得る。
【００５８】
図15は、ワイヤレス通信の第2の方法のフローチャート1500である。方法は、ターゲットUEによって実行され得る。ブロック1502で、ターゲットUEはイニシエータUEからイニシエータUEに関連する情報を含む接続要求を受信し得る。ブロック1504で、ターゲットUEは、イニシエータUEに関連する情報をターゲットUEをサービスするMMEに送信し得る。ブロック1506で、ターゲットUEは、イニシエータUEと安全に通信するためのキーを、ターゲットUEをサービスするMMEから受信し得る。随意の態様では、ブロック1508で、ターゲットUEは、接続要求に応答して接続応答を送信し得る。そのような随意の態様では、接続応答は、キーがターゲットUEをサービスするMMEから受信された後で送信され得る。別の態様では、ブロック1508は、代替として、ブロック1502の後およびブロック1504の前に発生することがある。ブロック1510で、ターゲットUEは、キーに基づいてイニシエータUEと安全に通信し得る。
【００５９】
たとえば、図8を参照すると、動作814で、ターゲットUE810は、イニシエータUE802からイニシエータUE802に関連する情報を含む接続要求を受信する。動作816で、ターゲットUE810は、イニシエータUE802に関連する情報をターゲットUE810をサービスするMME808に送信する。動作826で、ターゲットUE810は、イニシエータUE802と安全に通信するためのキーを、ターゲットUE810をサービスするMME808から受信する。動作828で、ターゲットUE810は、接続要求に応答して接続応答を送信する。代替的に、動作828は、動作814の後で動作816の前に発生し得る(たとえば、図9の動作914および916参照)。動作834で、ターゲットUE810は、キーに基づいてイニシエータUE802と安全に通信する。
【００６０】
ブロック1502、1504でイニシエータUEに関連する情報は、イニシエータUEのイニシエータ表現、イニシエータUEをサービスするMMEを識別する情報などを含み得る。ブロック1502での接続要求は、ターゲットUEのターゲット表現をさらに含み得る。ブロック1504で、ターゲットUEはまた、情報とともにターゲットUEのターゲット表現を、ターゲットUEをサービスするMMEに送信し得る。接続応答は、キーがターゲットUEをサービスするMMEから受信された後(たとえば、ブロック1508の後)、送信され得る(たとえば、ブロック1508)。代替的に、接続応答は、ブロック1502の後で、かつイニシエータUEに関連する情報がターゲットUEをサービスするMMEに送信されるブロック1504の前に送信され得る(たとえば、ブロック1508)。ブロック1508での接続応答は、ターゲットUEをサービスするMMEを識別する情報、ターゲットUEの識別子などを含み得る。
【００６１】
図16は、通信の第3の方法のフローチャート1600である。方法は、イニシエータMMEまたは第1のUEをサービスするターゲットMMEによって実行され得る。ブロック1602で、MMEは、第2のUEに関連する情報を第1のUEから受信し得る。第2のUEに関連する情報は、第2のUEの表現、第2のUEをサービスするMMEを識別する情報などを含み得る。ブロック1604で、MMEは、受信された情報に基づいて第2のUEをサービスするMMEを決定し得る。ブロック1606で、MMEは、第1のUEおよび第2のUEが一緒に安全に通信することを可能にするためのキーを決定するために、第2のUEをサービスするMMEと通信し得る。ブロック1608で、MMEは、キーを第1のUEに伝達し得る。
【００６２】
たとえば、図9を参照すると、方法がイニシエータMME904によって実行されると仮定すると、第1のUEはイニシエータUE902であり、第2のUEはターゲットUE910である。動作920で、MME904は、ターゲットUE910に関連する情報をイニシエータUE902から受信する。ターゲットUE910に関連する情報は、ターゲットUE910のターゲット表現、ターゲットUE910をサービスするMME908を識別する情報などを含み得る。MME904は、受信された情報に基づいてターゲットUE910をサービスするMME908を決定する。動作922で、MME904は、イニシエータUE902およびターゲットUE910が一緒に安全に通信することを可能にするためのキーを決定するために、ターゲットUE910をサービスするMME908と通信する。動作924で、MME904は、イニシエータUE902にキーを伝達する。
【００６３】
別の例では、図9を参照すると、方法がターゲットMME908によって実行されると仮定すると、第1のUEはターゲットUE910であり、第2のUEはイニシエータUE902である。動作918で、MME908は、イニシエータUE902に関連する情報をターゲットUE910から受信する。イニシエータUE902に関連する情報は、イニシエータUE902のイニシエータ表現、イニシエータUE902をサービスするMME904を識別する情報などを含み得る。MME908は、受信された情報に基づいてイニシエータUE902をサービスするMME904を決定する。動作922で、MME908は、ターゲットUE910およびイニシエータUE902が一緒に安全に通信することを可能にするためのキーを決定するために、イニシエータUE902をサービスするMME904と通信する。動作926で、MME908は、ターゲットUE910にキーを伝達する。
【００６４】
さらに別の例では、図8を参照すると、方法がターゲットMME808によって実行されると仮定すると、第1のUEはターゲットUE810であり、第2のUEはイニシエータUE802である。動作816で、MME808は、イニシエータUE802に関連する情報をターゲットUE810から受信する。イニシエータUE802に関連する情報は、イニシエータUE802のイニシエータ表現、イニシエータUE802をサービスするMME804を識別する情報などを含み得る。MME808は、受信された情報に基づいてイニシエータUE802をサービスするMME804を決定する。ブロック820で、MME808は、ターゲットUE810およびイニシエータUE802が一緒に安全に通信することを可能にするためのキーを決定するために、イニシエータUE802をサービスするMME804と通信する。動作826で、MME808は、ターゲットUE810にキーを伝達する。
【００６５】
図17は、ワイヤレス通信の第4の方法のフローチャート1700である。方法は、ターゲットUEによって実行され得る。ブロック1702で、ターゲットUEは、サービングエンティティにターゲットUEの表現を伝達し得る。一態様では、サービングエンティティは、eNB、ターゲットUEおよびサービングUEに共通のMMEなどであってよい。随意の態様では、ブロック1702で、ターゲットUEはまた、タイムフレームを通信し得、タイムフレームの間に、ターゲットUEはイニシエータUEおよび/または任意の他のイニシエータUEと通信するためにページングされ得る。ブロック1704で、ターゲットUEは、イニシエータUEと通信するためにサービングエンティティから開始されたページを受信し得る。受信されたページは、表現、GUTI、またはGUTIのサブセット(たとえば、S-TMSI)から導出されたPGIDのうちの少なくとも1つを含み得る。受信されたページは、イニシエータUEに関連付けられ識別子を含み得、DP-RNTIによってスクランブルされ得る。随意の態様では、ブロック1706で、ターゲットUEは、イニシエータUEと安全に通信するためのキーを、サービングエンティティから受信し得る。ブロック1708で、ターゲットUEは、少なくともページに基づいてイニシエータUEと通信する。UEがキーを受信する一態様では、ターゲットUEは、さらに、キーに基づく安全な方式でイニシエータUEと通信し得る。
【００６６】
たとえば、図11を参照すると、動作1112で、ターゲットUE1110は、ターゲットUE1110の表現をサービングエンティティ1104に伝達する。動作1116で、ターゲットUE1110は、イニシエータUE1102と通信するためにサービングエンティティ1104から開始されたページを受信する。動作1118で、ターゲットUE1110は、イニシエータUE1102と安全に通信するためのキーを、サービングエンティティ1104から受信する。動作1124で、ターゲットUE1110は、キーに基づいてイニシエータUE1102と安全に通信する。
【００６７】
図18は、通信の第5の方法のフローチャート1800である。方法は、eNB、MMEなどのサービングエンティティによって実行され得る。ブロック1802で、サービングエンティティは、ターゲットUEから第1の表現を受信し得る。随意の態様では、ブロック1802で、サービングエンティティはまた、タイムフレームを受信し得、タイムフレームの間に、ターゲットUEはイニシエータUEおよび/または任意の他のイニシエータUEと通信するためにページングされ得る。ブロック1804で、サービングエンティティは、イニシエータUEから第2の表現を受信し得る。随意の態様では、ブロック1806で、サービングエンティティは、表現、GUTI、GUTIのサブセット(たとえば、S-TMSI)などから導出されたPGIDを含むアイデンティティ/識別子を決定し得る。ブロック1808で、サービングエンティティは、第2の表現が第1の表現に適合すると判断すると、ターゲットUEに、アイデンティティ/識別子を含むページを送信し得る。ページは、イニシエータUEに関連付けられた識別子を含み得る。一態様では、サービングエンティティは、現在時刻が受信されたタイムフレーム内にあると判断すると、ページを送信し得る。随意の態様では、ブロック1810で、サービングエンティティは、ターゲットUEおよびイニシエータUEが一緒に安全に通信することを可能にするためのキーを、ターゲットUEおよびイニシエータUEに送信し得る。
【００６８】
たとえば、図11を参照すると、動作1112で、サービングエンティティ1104は、ターゲットUE1110から第1の表現を受信する。動作1114で、サービングエンティティ1104は、イニシエータUE1102から第2の表現を受信する。サービングエンティティ1104は、第1の表現、GUTI、またはGUTIのサブセット(たとえば、S-TMSI)から導出されたPGIDを含むアイデンティティ/識別子を決定する。動作1116で、サービングエンティティ1104は、第2の表現が第1の表現に適合すると判断すると、ターゲットUE1110に、アイデンティティ/識別子を含むページを送信する。動作1118、1120で、サービングエンティティ1104は、ターゲットUE1110およびイニシエータUE1102が一緒に安全に通信することを可能にするためのキーを、ターゲットUE1110およびイニシエータUE1102にそれぞれ送信する。
【００６９】
図19は、ワイヤレス通信の第6の方法のフローチャート1900である。方法は、ターゲットUEによって実行され得る。ブロック1902で、ターゲットUEは、ターゲットUEのターゲット表現とともにターゲットUEをサービスするMMEを識別するための情報をブロードキャストし得る。ブロック1904で、ターゲットUEは、パラメータと、イニシエータUEと安全に通信するためのキーとを、ターゲットUEをサービスするMMEから受信する。一態様では、キーは、直接イニシエータUEと通信するためであってよい。別の態様では、パラメータは、さらに、様々な設定値などを与えることを介してイニシエータUEとの直接通信を可能にすることがある。ブロック1906で、ターゲットUEは、キーに基づいてイニシエータUEと安全に通信する。
【００７０】
たとえば、図12を参照すると、動作1212で、ターゲットUE1210は、ターゲットUE1210のターゲット表現とともにターゲットUE1210をサービスするMME1208を識別するための情報をブロードキャストする。動作1220で、ターゲットUE1210は、イニシエータUE1202と安全に通信するためのキーを、ターゲットUE1210をサービスするMME1208から受信する。動作1224で、ターゲットUE1210は、キーに基づいてイニシエータUE1202と安全に通信する。
【００７１】
別の例では、図13を参照すると、動作1313で、ターゲットUE1310は、ターゲットUE1310のターゲット表現とともにターゲットUE1310をサービスするMME1308を識別するための情報をブロードキャストする。動作1324で、ターゲットUE1310は、イニシエータUE1302と安全に通信するためのキーを、ターゲットUE1310をサービスするMME1308から受信する。動作1328で、ターゲットUE1310は、キーに基づいてイニシエータUE1302と安全に通信する。
【００７２】
図20は、ワイヤレス通信の第7の方法のフローチャート2000である。方法は、イニシエータUEによって実行され得る。ブロック2002で、イニシエータUEは、ターゲットUEのターゲット表現と、ターゲットUEをサービスするMMEを識別するための情報とを含むブロードキャストを受信し得る。ブロック2004で、イニシエータUEは、ターゲット表現と情報とを、イニシエータUEをサービスするMMEに送信し得る。ブロック2006で、イニシエータUEは、パラメータと、ターゲットUEと通信するためのキーとを、イニシエータUEをサービスするMMEから受信し得る。一態様では、キーは、直接ターゲットUEと通信するためであってよい。別の態様では、パラメータは、さらに、様々な設定値などを与えることを介してイニシエータUEとの直接通信を可能にすることがある。ブロック2008で、イニシエータUEは、キーに基づいてターゲットUEと安全に通信し得る。
【００７３】
たとえば、図12を参照すると、動作1212で、イニシエータUE1202は、ターゲットUE1210のターゲット表現と、ターゲットUE1210をサービスするMME1208を識別するための情報とを含むブロードキャストを受信する。動作1214で、イニシエータUE1202は、ターゲット表現と情報とを、イニシエータUE1202をサービスするMME1204に送信する。動作1218で、イニシエータUE1202は、ターゲットUE1210と通信するためのキーを、イニシエータUE1202をサービスするMME1204から受信する。動作1224で、イニシエータUE1202は、キーに基づいてターゲットUE1210と安全に通信する。
【００７４】
別の例では、図13を参照すると、動作1313で、イニシエータUE1302は、ターゲットUE1310のターゲット表現と、ターゲットUE1310をサービスするMME1308を識別するための情報とを含むブロードキャストを受信する。動作1314で、イニシエータUE1302は、ターゲット表現と情報とを、イニシエータUE1302をサービスするMME1304に送信する。動作1322で、イニシエータUE1302は、ターゲットUE1310と安全に通信するためのキーを、イニシエータUE1302をサービスするMME1304から受信する。動作1328で、イニシエータUE1302は、キーに基づいてターゲットUE1310と安全に通信する。
【００７５】
図21は、通信の第8の方法のフローチャート2100である。方法は、イニシエータUEのMMEによって実行され得る。ブロック2102で、MMEは、ターゲットUEのターゲット表現と、ターゲットUEをサービスするMMEを識別するための情報とを受信し得る。ターゲットUEをサービスするMMEを識別するための情報は、ターゲットUEをサービスするMMEの識別子、ターゲットUEに関連する情報(たとえば、セル番号、GUTI、GUTIのサブセット)などであってよい。随意の態様では、ブロック2104で、MMEは、ターゲットUEに関連する情報に基づいてターゲットUEをサービスするMMEを決定するためにデータベースにアクセスし得る。ブロック2106で、MMEは、パラメータと、イニシエータUEおよびターゲットUEが一緒に安全に通信することを可能にするためのキーとを決定するために、ターゲットUEをサービスするMMEと通信し得る。ブロック2108で、MMEは、パラメータおよびキーをイニシエータUEに送信し得る。
【００７６】
たとえば、図12を参照すると、動作1214で、MME1204は、ターゲットUE1210のターゲット表現と、ターゲットUE1210をサービスするMME1208を識別するための情報とを受信する。ターゲットUE1210をサービスするMME1208を識別するための情報は、ターゲットUE1210をサービスするMME1208の識別子であってよい。ブロック1216で、MME1204は、イニシエータUE1202およびターゲットUE1210が一緒に安全に通信することを可能にするためのキーを決定するために、ターゲットUE1210をサービスするMME1208と通信する。動作1218で、MME1204は、イニシエータUE1202にキーを送信する。
【００７７】
別の例では、図13を参照すると、動作1314で、MME1304は、ターゲットUE1310のターゲット表現と、ターゲットUE1310をサービスするMME1308を識別するための情報とを受信する。ターゲットUE1310をサービスするMME1308を識別するための情報は、ターゲットUEに関連する情報(たとえば、ターゲットID)であってよい。動作1316および1318で、MME1304は、ターゲットUE1310に関連する情報に基づいてターゲットUE1310をサービスするMME1308を決定するためにデータベースにアクセスし得る。ブロック1320で、MME1304は、イニシエータUE1302およびターゲットUE1310が一緒に安全に通信することを可能にするためのキーを決定するために、ターゲットUE1310をサービスするMME1308と通信する。動作1322で、MME1304は、イニシエータUE1302にキーを送信する。
【００７８】
図22は、通信の第9の方法のフローチャート2200である。方法は、ターゲットUEのMMEによって実行され得る。随意の態様では、ブロック2202で、MMEは、ターゲットUEのターゲット表現をターゲットUEから受信し得る。さらなる随意の態様では、ブロック2204で、MMEは、ターゲット表現とターゲットUEに関連する情報とを、ターゲットUEをサービスするMMEを識別するための情報にリンクさせるためのデータベースを更新し得る。ターゲットUEに関連する情報は、PGID、GUTI、GUTIのサブセット(たとえば、S-TMSI)、セル番号などであってよい。ブロック2206で、MMEは、パラメータと、イニシエータUEおよびターゲットUEが一緒に安全に通信することを可能にするためのキーとを決定するために、イニシエータUEをサービスするMMEと通信し得る。ブロック2208で、MMEは、パラメータおよびキーをターゲットUEに送信し得る。
【００７９】
たとえば、図12を参照すると、動作1216で、MME1208は、イニシエータUE1202およびターゲットUE1210が一緒に安全に通信することを可能にするためのキーを決定するために、イニシエータUE1202をサービスするMME1204と通信する。動作1220で、MME1208は、ターゲットUE1210にキーを送信する。別の例では、図13を参照すると、動作1311で、MME1308は、ターゲットUE1310のターゲット表現をターゲットUE1310から受信する。動作1312で、MME1308は、ターゲット表現とターゲットUE1310に関連する情報(たとえば、ターゲットID)とを、ターゲットUE1310をサービスするMME1308を識別するための情報にリンクさせるために、ESDB1306内のデータベースを更新する。ターゲットUE1310に関連する情報は、GUTI、GUTIのサブセット(たとえば、S-TMSI)、ターゲットUE1310のセル番号などであってよい。動作1320で、MME1308は、イニシエータUE1302およびターゲットUE1310が一緒に安全に通信することを可能にするためのキーを決定するために、イニシエータUE1302をサービスするMME1304と通信する。動作1324で、MME1308は、ターゲットUE1310にキーを送信する。
【００８０】
図23は、例示的な装置2302内の異なるモジュール/手段/構成要素の間のデータフローを示す概念的データフロー図2300である。第1の構成では、装置2302は、第1のUE2360をサービスしているMMEであってよい。そのような構成では、装置は、第2のUE2370に関連する情報を、eNB2350を介して第1のUE2360から受信するように構成されたUE通信モジュール2312を含み得る。受信された情報は、通信処理モジュール2306に与えられ、通信処理モジュール2306は、その情報をDNSインターフェースモジュール2308に与える。ESDBインターフェースモジュール2308は、受信された情報に基づいて第2のUE2370をサービスするMME2380を決定するように構成される。通信処理モジュール2306は、決定されたMME2380のMME通信モジュール2304に知らせる。MME通信モジュール2304は、第1のUE2360および第2のUE2370が一緒に安全に通信することを可能にするためのキーを決定するために、第2のUE2370をサービスするMME2380と通信するように構成される。MME通信モジュール2304は、キーを決定するためにパラメータネゴシエーションモジュール2310と通信する。パラメータネゴシエーションモジュール2310は、UE通信モジュール2312にキーを与え、UE通信モジュール2312は、第1のUE2360にキーを伝達する。
【００８１】
装置は、図16の上記のフローチャートにおけるアルゴリズムのブロックの各々を実行する追加のモジュールを含み得る。したがって、図16の上記のフローチャートにおける各ステップは、モジュールによって実行することができ、装置は、それらのモジュールのうちの1つまたは複数を含むことができる。モジュールは、特に、上記のプロセス/アルゴリズムを遂行するように構成されるか、上記のプロセス/アルゴリズムを実行するように構成されたプロセッサによって実施されるか、プロセッサによって実施するためにコンピュータ可読媒体内に記憶されるか、またはそれらのいくつかの組合せによる、1つまたは複数のハードウェア構成要素であってよい。
【００８２】
第2の構成では、装置2302は、イニシエータUE2360をサービスしているMMEであってよい。そのような構成では、装置2302は、eNB2350を介してイニシエータUE2360からターゲットUE2370のターゲット表現を受信するように構成されたUE通信モジュール2312を含み得る。UE通信モジュール2312は、ターゲットUE2370をサービスするMME2380を識別するための情報を受信するようにさらに構成される。UE通信モジュール2312は、通信処理モジュール2306に受信された情報を提供する。装置が、ターゲットUE2370をサービスするMME2380を決定する必要がある場合、通信処理モジュール2306は、ESDBインターフェースモジュール2308と通信するように構成され、ESDBインターフェースモジュール2308は、ターゲットUE2370に関連する情報に基づいて、ターゲットUE2370をサービスするMME2380を決定するように構成される。装置は、イニシエータUE2360およびターゲットUE2370が一緒に安全に通信することを可能にするためのキーを決定するために、ターゲットUE2370をサービスするMME2380と通信するように構成されたMME通信モジュール2304をさらに含む。キーは、パラメータネゴシエーションモジュール2310によって決定され、パラメータネゴシエーションモジュール2310は、UE通信モジュール2312にキーを提供する。UE通信モジュール2312は、イニシエータUE2360にキーを送信するように構成される。
【００８３】
装置は、図21の上記のフローチャートにおけるアルゴリズムのブロックの各々を実行する追加のモジュールを含み得る。したがって、図21の上記のフローチャートにおける各ステップは、モジュールによって実行することができ、装置は、それらのモジュールのうちの1つまたは複数を含むことができる。モジュールは、特に、上記のプロセッサ/アルゴリズムを遂行するように構成されるか、上記のプロセッサ/アルゴリズムを実行するように構成されたプロセッサによって実施されるか、プロセッサによって実施するためにコンピュータ可読媒体内に記憶されるか、またはそれらのいくつかの組合せによる、1つまたは複数のハードウェア構成要素であってよい。
【００８４】
第3の構成では、装置2302は、ターゲットUE2360をサービスしているMMEであってよい。そのような構成では、装置2302は、イニシエータUE2370およびターゲットUE2360が一緒に安全に通信することを可能にするためのキーを決定するために、イニシエータUE2370をサービスするMME2380と通信するように構成されたMME通信モジュール2304を含む。キーは、パラメータネゴシエーションモジュール2310によって決定され、パラメータネゴシエーションモジュール2310は、UE通信モジュール2312にキーを提供する。UE通信モジュール2312は、eNB2350を介してターゲットUE2360にキーを送信するように構成される。UE通信モジュール2312は、ターゲットUE2360のターゲット表現をターゲットUE2360から受信するようにさらに構成され得る。UE通信モジュール2312は、通信処理モジュール2306にターゲット表現を提供するように構成され、通信処理モジュール2306は、ターゲット表現とターゲットUE2360に関連する情報とをターゲットUE2360をサービスするMME 2302を識別するための情報にリンクさせるためのデータベースを更新するために、ESDBインターフェースモジュール2308と通信するように構成される。
【００８５】
装置は、図22の上記のフローチャートにおけるアルゴリズムのブロックの各々を実行する追加のモジュールを含み得る。したがって、図22の上記のフローチャートにおける各ステップは、モジュールによって実行することができ、装置は、それらのモジュールのうちの1つまたは複数を含むことができる。モジュールは、特に、上記のプロセッサ/アルゴリズムを遂行するように構成されるか、上記のプロセッサ/アルゴリズムを実行するように構成されたプロセッサによって実施されるか、プロセッサによって実施するためにコンピュータ可読媒体内に記憶されるか、またはそれらのいくつかの組合せによる、1つまたは複数のハードウェア構成要素であってよい。
【００８６】
図24は、処理システム2414を使用する装置2302'のハードウェア実装の一例を示す図である。処理システム2414は、バス2424によって概略的に表されるバスアーキテクチャで実装され得る。バス2424は、処理システム2414の具体的な用途および全体的な設計制約に応じて、任意の数の相互接続するバスおよびブリッジを含み得る。バス2424は、プロセッサ2404によって表される1つまたは複数のプロセッサおよび/またはハードウェアモジュールと、モジュール2304、2306、2308、2310、2312と、コンピュータ可読媒体2406とを含む様々な回路を互いにリンクさせる。バス2424は、タイミングソース、周辺機器、電圧調整器、および電力管理回路など、様々な他の回路をリンクさせることもでき、これらの回路は当技術分野でよく知られており、したがって、これ以上は説明しない。
【００８７】
処理ユニット2414は、トランシーバ2410に結合され得る。トランシーバ2410は、1つまたは複数のアンテナ2420に結合される。トランシーバ2410は、送信媒体上の様々な他の装置と通信するための手段を提供する。処理システム2414は、コンピュータ可読媒体2406に結合されたプロセッサ2404を含む。プロセッサ2404は、コンピュータ可読媒体2406上に記憶されたソフトウェアの実行を含む全般的な処理を受け持つ。ソフトウェアは、プロセッサ2404によって実行されると、任意の特定の装置に対して上記で説明した様々な機能を処理システム2414に実行させる。コンピュータ可読媒体2406は、ソフトウェアを実行するときにプロセッサ2404によって操作されるデータを記憶するために使用されてもよい。処理システムは、モジュール2304、2306、2308、2310、2312のうちの少なくとも1つをさらに含む。モジュールは、コンピュータ可読媒体2406に常駐する/記憶される、プロセッサ2404で動作しているソフトウェアモジュール、プロセッサ2404に結合された1つもしくは複数のハードウェアモジュール、またはそれらの何らかの組合せとすることができる。
【００８８】
一構成では、ワイヤレス通信のための装置2302/2302'は、第2のUEに関連する情報を第1のUEから受信するための手段と、受信された情報に基づいて第2のUEをサービスするMMEを決定するための手段と、第1のUEおよび第2のUEが一緒に安全に通信することを可能にするためのキーを決定するために第2のUEをサービスするMMEと通信するための手段と、第1のUEにキーを伝達するための手段とを含む。上記の手段は、装置2302の上記のモジュールおよび/または上記の手段によって記述される機能を実行するように構成された装置2302'の処理システム2414のうちの1つまたは複数であってよい。
【００８９】
別の構成では、ワイヤレス通信のための装置2302/2302'は、ターゲットUEのターゲット表現およびターゲットUEをサービスするMMEを識別するための情報を受信するための手段と、イニシエータUEおよびターゲットUEが一緒に安全に通信することを可能にするためのキーを決定するためにターゲットUEをサービスするMMEと通信するための手段と、イニシエータUEにキーを送信するための手段とを含む。装置は、ターゲットUEに関連する情報に基づいてターゲットUEをサービスするMMEを決定するためにデータベースにアクセスするための手段をさらに含み得る。上記の手段は、装置2302の上記のモジュールおよび/または上記の手段によって記述される機能を実行するように構成された装置2302'の処理システム2414のうちの1つまたは複数であってよい。
【００９０】
別の構成では、ワイヤレス通信のための装置2302/2302'は、イニシエータUEおよびターゲットUEが一緒に安全に通信することを可能にするためのキーを決定するためにイニシエータUEをサービスするMMEと通信するための手段と、ターゲットUEにキーを送信するための手段とを含む。装置は、ターゲットUEのターゲット表現をターゲットUEから受信するための手段と、ターゲット表現およびターゲットUEに関連する情報をターゲットUEをサービスするMMEを識別するための情報にリンクさせるためのデータベースを更新するための手段とをさらに含み得る。上記の手段は、装置2302の上記のモジュールおよび/または上記の手段によって記述される機能を実行するように構成された装置2302'の処理システム2414のうちの1つまたは複数であってよい。
【００９１】
図25は、例示的な装置2502内の異なるモジュール/手段/構成要素の間のデータフローを示す概念的データフロー図2500である。装置2502は、サービングエンティティであってよく、MMEまたはeNBのいずれかであってもよい。装置は、ターゲットUE2560から第1の表現を受信するように構成されたUE通信モジュール2512を含む。UE通信モジュール2512は、イニシエータUE2570から第2の表現を受信するようにさらに構成される。通信処理モジュール2506は、第2の表現が第1の表現に適合するかどうかを判断するように構成される。表現が適合すると、UE通信モジュール2512は、ターゲットUE2560にページを送信するように構成される。UE通信モジュール2512は、タイムフレームを受信するようにさらに構成され得、タイムフレームの間に、ターゲットUE2560は、通信のためにページングされ得る。通信処理モジュール2506は、現在時刻が受信されたタイムフレーム内にあるかどうかを判断し、現在時刻が受信されたタイムフレーム内にあると判断すると、UE通信モジュール2512に通知してページを送信させるように構成され得る。通信処理モジュール2506は、第1の表現、GUTI、GUTIのサブセットなどから導出されたPGIDを含むアイデンティティ/識別子を決定するようにさらに構成され得る。通信処理モジュール2506は、UE通信モジュール2512にアイデンティティ/識別子を提供するように構成され、UE通信モジュール2512は、ページ内にアイデンティティ/識別子を含むように構成される。通信処理モジュール2506は、イニシエータUE2570に関連付けられた識別子をUE通信モジュール2512に提供するようにさらに構成され得、UE通信モジュール2512は、ページ内にUE2570に関連付けられた識別子を含むように構成される。装置は、パラメータネゴシエーションモジュール2510をさらに含み得、パラメータネゴシエーションモジュール2510は、ターゲットUE2560およびイニシエータUE2570が一緒に安全に通信することを可能にするためのキーを決定するように構成される。パラメータネゴシエーションモジュール2510は、UE通信モジュール2512にキーを提供するように構成され、UE通信モジュール2512は、ターゲットUE2560とイニシエータUE2570の両方にキーを送信するように構成される。
【００９２】
装置は、図18の上記のフローチャートにおけるアルゴリズムのブロックの各々を実行する追加のモジュールを含み得る。したがって、図18の上記のフローチャートにおける各ステップは、モジュールによって実行することができ、装置は、それらのモジュールのうちの1つまたは複数を含むことができる。モジュールは、特に、上記のプロセッサ/アルゴリズムを遂行するように構成されるか、上記のプロセッサ/アルゴリズムを実行するように構成されたプロセッサによって実施されるか、プロセッサによって実施するためにコンピュータ可読媒体内に記憶されるか、またはそれらのいくつかの組合せによる、1つまたは複数のハードウェア構成要素であってよい。
【００９３】
図26は、処理システム2614を使用する装置2502'のハードウェア実装の一例を示す図である。処理システム2614は、バス2624によって概略的に表されるバスアーキテクチャで実装され得る。バス2624は、処理システム2614の具体的な用途および全体的な設計制約に応じて、任意の数の相互接続するバスおよびブリッジを含み得る。バス2624は、プロセッサ2604によって表される1つまたは複数のプロセッサおよび/またはハードウェアモジュールと、モジュール2506、2510、2512と、コンピュータ可読媒体2606とを含む様々な回路を互いにリンクさせる。バス2624は、タイミングソース、周辺機器、電圧調整器、および電力管理回路など、様々な他の回路をリンクさせることもでき、これらの回路は当技術分野でよく知られており、したがって、これ以上は説明しない。
【００９４】
処理ユニット2614は、トランシーバ2610に結合され得る。トランシーバ2610は、1つまたは複数のアンテナ2620に結合される。トランシーバ2610は、送信媒体上の様々な他の装置と通信するための手段を提供する。処理システム2614は、コンピュータ可読媒体2606に結合されたプロセッサ2604を含む。プロセッサ2604は、コンピュータ可読媒体2606上に記憶されたソフトウェアの実行を含む全般的な処理を受け持つ。ソフトウェアは、プロセッサ2604によって実行されると、任意の特定の装置に対して上記で説明した様々な機能を処理システム2614に実行させる。コンピュータ可読媒体2606は、ソフトウェアを実行するときにプロセッサ2604によって操作されるデータを記憶するために使用されてもよい。処理システムは、モジュール2506、2510、2512のうちの少なくとも1つをさらに含む。モジュールは、コンピュータ可読媒体2606に常駐する/記憶される、プロセッサ2604で動作しているソフトウェアモジュール、プロセッサ2604に結合された1つもしくは複数のハードウェアモジュール、またはそれらの何らかの組合せとすることができる。
【００９５】
一構成では、ワイヤレス通信のための装置2502/2502'は、ターゲットUEから第1の表現を受信するための手段と、イニシエータUEから第2の表現を受信するための手段と、第2の表現が第1の表現に適合すると判断すると、ターゲットUEにページを送信するための手段とを含む。装置は、タイムフレームを受信するための手段をさらに含み得、タイムフレームの間に、ターゲットUEは、通信のためにページングされ得る。装置は、DP-RNTIと、第1の表現、GUTI、GUTIのサブセットから導出されたPGIDのうちの少なくとも1つとを含むアイデンティティ/識別子を決定するための手段をさらに含み得る。装置は、ターゲットUEおよびイニシエータUEが一緒に安全に通信することを可能にするためのキーをターゲットUEおよびイニシエータUEに送信するための手段をさらに含み得る。上記の手段は、装置2502の上記のモジュールおよび/または上記の手段によって記述される機能を実行するように構成された装置2502'の処理システム2614のうちの1つまたは複数であってよい。装置がeNBであるとき、処理システム2614は、TXプロセッサ616、RXプロセッサ670、およびコントローラ/プロセッサ675を含み得る。したがって、一構成では、上記の手段は、TXプロセッサ616、RXプロセッサ670、および上記の手段によって記述される機能を実行するように構成されたコントローラ/プロセッサ675であってよい。
【００９６】
図27は、例示的な装置2702内の異なるモジュール/手段/構成要素の間のデータフローを示す概念的データフロー図2700である。第1の構成では、装置2702はイニシエータUEであってよい。そのような構成では、イニシエータUEは、ターゲット表現に基づいてターゲットUE2760のネットワークアドレスを決定するように構成されたESDBインターフェースモジュール2708を含む。ネットワークアドレスは、通信処理モジュール2706に提供され、通信処理モジュール2706は、そのネットワークアドレスをUE通信モジュール2712に提供する。UE通信モジュール2712は、イニシエータUEに関連する情報を含む接続要求を、決定されたネットワークアドレスにおけるターゲットUE2760に送信するように構成される。イニシエータUEは、ターゲットUE2760に関連する情報をイニシエータUEをサービスするMME2780に送信するように構成されたサービングエンティティ通信モジュール2704をさらに含む。サービングエンティティ通信モジュール2704は、ターゲットUE2760と安全に通信するためのキーを、イニシエータUEをサービスするMME2780から受信するようにさらに構成される。
【００９７】
通信処理モジュール2706は、ターゲットUE2760に関連付けられ、UE通信モジュール2712によって提供されるターゲット表現を識別するように構成され得る。イニシエータUEに関連する情報は、イニシエータUEのネットワークアドレス、イニシエータUEのイニシエータ表現、イニシエータUEをサービスするMME2780を識別する情報などを含み得る。接続要求は、ターゲット表現をさらに含み得る。サービングエンティティ通信モジュール2704は、情報とともにイニシエータUEのイニシエータ表現を、イニシエータUEをサービスするMME2780に送信するように構成され得る。サービングエンティティ通信モジュール2704は、情報とともにターゲット表現を、イニシエータUEをサービスするMME2780に送信するように構成され得る。UE通信モジュール2712は、接続要求に応答して接続応答を受信するように構成され得る。接続応答は、キーがイニシエータUEをサービスするMME2780から受信された後で受信され得る。接続応答は、ターゲットUE2760をサービスするMMEを識別する情報、ターゲットUE2760の識別子などを含み得る。情報がイニシエータUEをサービスするMME2780に送信される前に、接続応答が受信される場合、ターゲットUE2760に関連する情報は、ターゲットUE2760をサービスするMMEを識別する情報、接続応答において受信されたターゲットUE2760の識別子などを含み得る。
【００９８】
装置は、図14の上記のフローチャートにおけるアルゴリズムのブロックの各々を実行する追加のモジュールを含み得る。したがって、図14の上記のフローチャートにおける各ステップは、モジュールによって実行することができ、装置は、それらのモジュールのうちの1つまたは複数を含むことができる。モジュールは、特に、上記のプロセッサ/アルゴリズムを遂行するように構成されるか、上記のプロセッサ/アルゴリズムを実行するように構成されたプロセッサによって実施されるか、プロセッサによって実施するためにコンピュータ可読媒体内に記憶されるか、またはそれらのいくつかの組合せによる、1つまたは複数のハードウェア構成要素であってよい。
【００９９】
第2の構成では、装置2702はターゲットUEであってよい。ターゲットUEは、イニシエータUE2760からイニシエータUE2760に関連する情報を含む接続要求を受信するように構成されたUE通信モジュール2712を含む。ターゲットUEは、イニシエータUE2760に関連する情報をターゲットUEをサービスするMME2780に送信するように構成されたサービングエンティティ通信モジュール2704をさらに含む。サービングエンティティ通信モジュール2704は、イニシエータUE2760と安全に通信するためのキーを、ターゲットUEをサービスするMME2780から受信するようにさらに構成される。イニシエータUE2760に関連する情報は、イニシエータUE2760のイニシエータ表現、イニシエータUE2760をサービスするMMEを識別する情報などを含み得る。接続要求は、ターゲットUEのターゲット表現をさらに含み得る。サービングエンティティ通信モジュール2704は、情報とともにターゲットUEのターゲット表現を、ターゲットUEをサービスするMME2780に送信するようにさらに構成され得る。UE通信モジュール2712は、接続要求に応答して接続応答を送信するように構成され得る。接続応答は、キーがターゲットUEをサービスするMME2780から受信された後で送信され得る。接続応答は、ターゲットUEをサービスするMME2780を識別する情報、ターゲットUEの識別子などを含み得る。接続応答は、情報がターゲットUEをサービスするMME2780に送信される前に送信され得る。
【０１００】
装置は、図15の上記のフローチャートにおけるアルゴリズムのブロックの各々を実行する追加のモジュールを含み得る。したがって、図15の上記のフローチャートにおける各ステップは、モジュールによって実行することができ、装置は、それらのモジュールのうちの1つまたは複数を含むことができる。モジュールは、特に、上記のプロセッサ/アルゴリズムを遂行するように構成されるか、上記のプロセッサ/アルゴリズムを実行するように構成されたプロセッサによって実施されるか、プロセッサによって実施するためにコンピュータ可読媒体内に記憶されるか、またはそれらのいくつかの組合せによる、1つまたは複数のハードウェア構成要素であってよい。
【０１０１】
第3の構成では、装置2702はターゲットUEであってよい。ターゲットUEは、サービングエンティティ(eNB2750またはMME2780)にターゲットUEの表現を伝達するように構成されたサービングエンティティ通信モジュール2704を含む。サービングエンティティ通信モジュール2704は、イニシエータUEと通信するためにサービングエンティティから開始されたページを受信するようにさらに構成される。サービングエンティティ通信モジュール2704は、タイムフレームを伝達するようにさらに構成され得、タイムフレームの間に、ターゲットUEは、通信のためにページングされ得る。受信されたページは、表現、GUTI、またはGUTIのサブセットから導出されたPGIDのうちの少なくとも1つを含み得、DP-RNTIを用いてスクランブルされ得る。受信されたページは、イニシエータUE2760に関連付けられた識別子を含み得る。サービングエンティティ通信モジュール2704は、イニシエータUE2712と安全に通信するためのキーを、サービングエンティティから受信するようにさらに構成され得る。キーは、通信処理モジュール2706に提供され、通信処理モジュール2706は、UE通信モジュール2712がイニシエータUE2760と安全に通信することを可能にするために、UE通信モジュール2712にキーを提供する。
【０１０２】
装置は、図17の上記のフローチャートにおけるアルゴリズムのブロックの各々を実行する追加のモジュールを含み得る。したがって、図17の上記のフローチャートにおける各ステップは、モジュールによって実行することができ、装置は、それらのモジュールのうちの1つまたは複数を含むことができる。モジュールは、特に、上記のプロセッサ/アルゴリズムを遂行するように構成されるか、上記のプロセッサ/アルゴリズムを実行するように構成されたプロセッサによって実施されるか、プロセッサによって実施するためにコンピュータ可読媒体内に記憶されるか、またはそれらのいくつかの組合せによる、1つまたは複数のハードウェア構成要素であってよい。
【０１０３】
第4の構成では、装置2702はターゲットUEであってよい。ターゲットUEは、ターゲットUEのターゲット表現とともにターゲットUEをサービスするMME2780を識別するための情報をブロードキャストするように構成されたUE通信モジュール2712を含む。ターゲットUEは、イニシエータUE2760と通信するためのキーを、ターゲットUEをサービスするMME2780から受信するように構成されたサービングエンティティ通信モジュール2704をさらに含む。キーは、通信処理モジュール2706に提供され、通信処理モジュール2706は、UE通信モジュール2712がキーに基づいてイニシエータUE2760と安全に通信することを可能にするために、UE通信モジュール2712にキーを提供する。キーは、直接イニシエータUE2760と通信するためであってよい。代替として、キーは、イニシエータUE2760とWWANを介して通信するためであってよい。
【０１０４】
装置は、図19の上記のフローチャートにおけるアルゴリズムのブロックの各々を実行する追加のモジュールを含み得る。したがって、図19の上記のフローチャートにおける各ステップは、モジュールによって実行することができ、装置は、それらのモジュールのうちの1つまたは複数を含むことができる。モジュールは、特に、上記のプロセッサ/アルゴリズムを遂行するように構成されるか、上記のプロセッサ/アルゴリズムを実行するように構成されたプロセッサによって実施されるか、プロセッサによって実施するためにコンピュータ可読媒体内に記憶されるか、またはそれらのいくつかの組合せによる、1つまたは複数のハードウェア構成要素であってよい。
【０１０５】
第5の構成では、装置2702はイニシエータUEであってよい。イニシエータUEは、ターゲットUE2760のターゲット表現と、ターゲットUE2760をサービスするMMEを識別するための情報とを含むブロードキャストを受信するように構成されたUE通信モジュール2712を含む。イニシエータUEは、ターゲット表現および情報をイニシエータUEをサービスするMME2780に送信するように構成されたサービングエンティティ通信モジュール2704をさらに含む。サービングエンティティ通信モジュール2704は、ターゲットUE2760と通信するためのキーを、イニシエータUEをサービスするMME2780から受信するようにさらに構成される。サービングエンティティ通信モジュール2704は、通信処理モジュール2706にキーを提供し、通信処理モジュール2706は、UE通信モジュール2712がキーに基づいてターゲットUE2760と安全に通信することを可能にするために、UE通信モジュール2712にキーを提供する。キーは、直接ターゲットUEと通信するためであってよい。代替として、キーは、ターゲットUEとWWANを介して通信するためであってよい。
【０１０６】
装置は、図20の上記のフローチャートにおけるアルゴリズムのブロックの各々を実行する追加のモジュールを含み得る。したがって、図20の上記のフローチャートにおける各ステップは、モジュールによって実行することができ、装置は、それらのモジュールのうちの1つまたは複数を含むことができる。モジュールは、特に、上記のプロセッサ/アルゴリズムを遂行するように構成されるか、上記のプロセッサ/アルゴリズムを実行するように構成されたプロセッサによって実施されるか、プロセッサによって実施するためにコンピュータ可読媒体内に記憶されるか、またはそれらのいくつかの組合せによる、1つまたは複数のハードウェア構成要素であってよい。
【０１０７】
図28は、処理システム2814を使用する装置2702'のハードウェア実装の一例を示す図である。処理システム2814は、バス2824によって概略的に表されるバスアーキテクチャで実装され得る。バス2824は、処理システム2814の具体的な用途および全体的な設計制約に応じて、任意の数の相互接続するバスおよびブリッジを含み得る。バス2824は、プロセッサ2804によって表される1つまたは複数のプロセッサおよび/またはハードウェアモジュールと、モジュール2704、2706、2708、2712と、コンピュータ可読媒体2806とを含む様々な回路を互いにリンクさせる。バス2824は、タイミングソース、周辺機器、電圧調整器、および電力管理回路など、様々な他の回路をリンクさせることもでき、これらの回路は当技術分野でよく知られており、したがって、これ以上は説明しない。
【０１０８】
処理ユニット2814は、トランシーバ2810に結合され得る。トランシーバ2810は、1つまたは複数のアンテナ2820に結合される。トランシーバ2810は、送信媒体上の様々な他の装置と通信するための手段を提供する。処理システム2814は、コンピュータ可読媒体2806に結合されたプロセッサ2804を含む。プロセッサ2804は、コンピュータ可読媒体2806上に記憶されたソフトウェアの実行を含む全般的な処理を受け持つ。ソフトウェアは、プロセッサ2804によって実行されると、任意の特定の装置に対して上記で説明した様々な機能を処理システム2814に実行させる。コンピュータ可読媒体2806は、ソフトウェアを実行するときにプロセッサ2804によって操作されるデータを記憶するために使用されてもよい。処理システムは、モジュール2704、2706、2708、2712のうちの少なくとも1つをさらに含む。モジュールは、コンピュータ可読媒体2806に常駐する/記憶される、プロセッサ2804で動作しているソフトウェアモジュール、プロセッサ2804に結合された1つもしくは複数のハードウェアモジュール、またはそれらの何らかの組合せとすることができる。処理システム2814は、UE650の構成要素であってよく、メモリ660ならびに/あるいはTXプロセッサ668、RXプロセッサ656、およびコントローラ/プロセッサ659のうちの少なくとも1つを含み得る。
【０１０９】
一構成では、ワイヤレス通信のための装置2702/2702'は、ターゲット表現に基づいてターゲットUEのネットワークアドレスを決定するための手段と、決定されたネットワークアドレスにおけるターゲットUEにイニシエータUEに関連する情報を含む接続要求を送信するための手段と、イニシエータUEをサービスするMMEにターゲットUEに関連する情報を送信するための手段と、ターゲットUEと安全に通信するためのキーをイニシエータUEをサービスするMMEから受信するための手段とを含む。装置は、ターゲットUEに関連付けられたターゲット表現を識別するための手段をさらに含み得る。装置は、情報とともにイニシエータUEのイニシエータ表現を、イニシエータUEをサービスするMMEに送信するための手段をさらに含み得る。装置は、情報とともにターゲット表現を、イニシエータUEをサービスするMMEに送信するための手段をさらに含み得る。装置は、接続要求に応答して接続応答を受信するための手段をさらに含み得る。上記の手段は、装置2702の上記のモジュールおよび/または上記の手段によって記述される機能を実行するように構成された装置2702'の処理システム2814のうちの1つまたは複数であってよい。上記で説明したように、処理システム2814は、TXプロセッサ668、RXプロセッサ656、およびコントローラ/プロセッサ659を含み得る。したがって、一構成では、上記の手段は、TXプロセッサ668、RXプロセッサ656、および上記の手段によって記述される機能を実行するように構成されたコントローラ/プロセッサ659であってよい。
【０１１０】
別の構成では、ワイヤレス通信のための装置2702/2702'は、イニシエータUEからイニシエータUEに関連する情報を含む接続要求を受信するための手段と、ターゲットUEをサービスするMMEにイニシエータUEに関連する情報を送信するための手段と、イニシエータUEと安全に通信するためのキーをターゲットUEをサービスするMMEから受信するための手段とを含む。装置は、情報とともにターゲットUEのターゲット表現を、ターゲットUEをサービスするMMEに送信するための手段をさらに含み得る。装置は、接続要求に応答して接続応答を送信するための手段をさらに含み得る。上記の手段は、装置2702の上記のモジュールおよび/または上記の手段によって記述される機能を実行するように構成された装置2702'の処理システム2814のうちの1つまたは複数であってよい。上記で説明したように、処理システム2814は、TXプロセッサ668、RXプロセッサ656、およびコントローラ/プロセッサ659を含み得る。したがって、一構成では、上記の手段は、TXプロセッサ668、RXプロセッサ656、および上記の手段によって記述される機能を実行するように構成されたコントローラ/プロセッサ659であってよい。
【０１１１】
別の構成では、ワイヤレス通信のための装置2702/2702'は、ターゲットUEの表現をサービングエンティティに伝達するための手段と、イニシエータUEと通信するためにサービングエンティティから開始されたページを受信するための手段とを含む。装置は、タイムフレームを伝達するための手段をさらに含み得、タイムフレームの間に、ターゲットUEは、通信のためにページングされ得る。装置は、イニシエータUEと安全に通信するためのキーをサービングエンティティから受信するための手段をさらに含み得る。上記の手段は、装置2702の上記のモジュールおよび/または上記の手段によって記述される機能を実行するように構成された装置2702'の処理システム2814のうちの1つまたは複数であってよい。上記で説明したように、処理システム2814は、TXプロセッサ668、RXプロセッサ656、およびコントローラ/プロセッサ659を含み得る。したがって、一構成では、上記の手段は、TXプロセッサ668、RXプロセッサ656、および上記の手段によって記述される機能を実行するように構成されたコントローラ/プロセッサ659であってよい。
【０１１２】
別の構成では、ワイヤレス通信のための装置2702/2702'は、ターゲットUEのターゲット表現とともにターゲットUEをサービスするMMEを識別するための情報をブロードキャストするための手段と、イニシエータUEと通信するためのキーをターゲットUEをサービスするMMEから受信するための手段と、キーに基づいてイニシエータUEと安全に通信するための手段とを含む。上記の手段は、装置2702の上記のモジュールおよび/または上記の手段によって記述される機能を実行するように構成された装置2702'の処理システム2814のうちの1つまたは複数であってよい。上記で説明したように、処理システム2814は、TXプロセッサ668、RXプロセッサ656、およびコントローラ/プロセッサ659を含み得る。したがって、一構成では、上記の手段は、TXプロセッサ668、RXプロセッサ656、および上記の手段によって記述される機能を実行するように構成されたコントローラ/プロセッサ659であってよい。
【０１１３】
別の構成では、ワイヤレス通信のための装置2702/2702'は、ターゲットUEのターゲット表現およびターゲットUEをサービスするMMEを識別するための情報を含むブロードキャストを受信するための手段と、ターゲット表現および情報をイニシエータUEをサービスするMMEに送信するための手段と、ターゲットUEと通信するためのキーをイニシエータUEをサービスするMMEから受信するための手段と、キーに基づいてターゲットUEと安全に通信するための手段とを含む。上記の手段は、装置2702の上記のモジュールおよび/または上記の手段によって記述される機能を実行するように構成された装置2702'の処理システム2814のうちの1つまたは複数であってよい。上記で説明したように、処理システム2814は、TXプロセッサ668、RXプロセッサ656、およびコントローラ/プロセッサ659を含み得る。したがって、一構成では、上記の手段は、TXプロセッサ668、RXプロセッサ656、および上記の手段によって記述される機能を実行するように構成されたコントローラ/プロセッサ659であってよい。
【０１１４】
開示したプロセスにおけるステップの特定の順序または階層は、例示的な手法の一例であることを理解されたい。設計上の選好に基づいて、プロセスにおけるステップの特定の順序または階層は再構成可能であることを理解されたい。さらに、いくつかのステップが、組み合わされ得るかまたは省略され得る。添付の方法クレームは、様々なステップの要素を例示的な順序で提示したものであり、提示された特定の順序または階層に限定されるものではない。
【０１１５】
上記の説明は、本明細書で説明される様々な態様を当業者が実施できるようにするために与えられる。これらの態様への様々な変更は当業者には容易に明らかであり、本明細書で定義した一般的原理は他の態様に適用され得る。したがって、特許請求の範囲は本明細書で示す態様に限定されるよう意図されているわけではなく、文言通りの特許請求の範囲と整合するすべての範囲を許容するように意図されており、単数の要素への言及は、そのように明記されていない限り、「唯一無二の」ではなく、「1つまたは複数の」を意味するよう意図されている。別段に明記されていない限り、「いくつかの」という用語は「1つまたは複数の」を意味する。当業者に知られている、または後で知られることになる本開示全体にわたって説明する様々な態様の要素に対するすべての構造的および機能的均等物は、参照により本明細書に明確に組み込まれ、特許請求の範囲によって包含されるものとする。さらに、本明細書で開示する内容は、そのような開示が特許請求の範囲で明示的に記載されているかどうかにかかわらず、公に供することは意図されていない。いかなるクレーム要素も、要素が「ための手段(means for)」という語句を使用して明確に記載されていない限り、ミーンズプラスファンクションとして解釈されるべきではない。
【符号の説明】
【０１１６】
100  LTEネットワークアーキテクチャ、発展型パケットシステム(EPS)
102  ユーザ機器(UE)
104  発展型UMTS地上波無線アクセスネットワーク(E-UTRAN)
106  発展型ノードB(eNB)
108  他のeNB
110  発展型パケットコア(EPC)
112  モビリティ管理エンティティ(MME)
114  他のMME
116  サービングゲートウェイ
118  パケットデータネットワーク(PDN)ゲートウェイ
120  ホーム加入者サーバ(HSS)
122  事業者のIPサービス
200  アクセスネットワーク
202  セル
204  マクロeNB
206  UE
208  低い電力クラスのeNB
210  セルラー領域
【図１】
2015510341.tif 000003
【図２】
2015510341.tif 000004
【図３】
2015510341.tif 000005
【図４】
2015510341.tif 000006
【図５】
2015510341.tif 000007
【図６】
2015510341.tif 000008
【図７】
2015510341.tif 000009
【図８】
2015510341.tif 000010
【図９】
2015510341.tif 000011
【図１０】
2015510341.tif 000012
【図１１】
2015510341.tif 000013
【図１２】
2015510341.tif 000014
【図１３】
2015510341.tif 000015
【図１４】
2015510341.tif 000016
【図１５】
2015510341.tif 000017
【図１６】
2015510341.tif 000018
【図１７】
2015510341.tif 000019
【図１８】
2015510341.tif 000020
【図１９】
2015510341.tif 000021
【図２０】
2015510341.tif 000022
【図２１】
2015510341.tif 000023
【図２２】
2015510341.tif 000024
【図２３】
2015510341.tif 000025
【図２４】
2015510341.tif 000026
【図２５】
2015510341.tif 000027
【図２６】
2015510341.tif 000028
【図２７】
2015510341.tif 000029
【図２８】
2015510341.tif 000030
【国際調査報告】
2015510341.tif 000031
2015510341.tif 000032